(57)【要約】  一実施形態に係る撮像装置（１００）は、撮像の為の複数のパラメータが割当パラメータとしてそれぞれ割り当てられた複数の操作部（３３）と、前記各操作部の操作に基づいて割当パラメータの設定値を制御するパラメータ制御部（５０）と、前記複数の操作部の位置を示す操作部配置図上に、前記割当パラメータ毎に割り当てられている前記操作部を示すパラメータデータベースに基づいて前記各操作部に対応した割当パラメータを表示させてヘルプ画面を生成する画面生成部（５０）と、を具備する。
2016038913.tif 000002
【特許請求の範囲】
【請求項１】
撮像の為の複数のパラメータが割当パラメータとしてそれぞれ割り当てられた複数の操作部と、
前記各操作部の操作に基づいて割当パラメータの設定値を制御するパラメータ制御部と、
前記複数の操作部の位置を示す操作部配置図上に、前記割当パラメータ毎に割り当てられている前記操作部を示すパラメータデータベースに基づいて前記各操作部に対応した割当パラメータを表示させてヘルプ画面を生成する画面生成部と、
を具備する撮像装置。
【請求項２】
前記画面生成部は、前記操作部配置図上の前記割当パラメータが割り当てられている前記操作部と関連付けて前記割当パラメータを前記ヘルプ画面に表示させる請求項１に記載の撮像装置。
【請求項３】
前記パラメータデータベースは、前記割当パラメータ毎にパラメータ名と、前記割当パラメータが割り当てられている前記操作部と、この操作部が示されている前記操作部配置図と、この操作部の前記操作部配置図上での位置を示す操作部位置と、をそれぞれ示す情報を対応付けて保持し、
前記画面生成部は、前記パラメータデータベースにより示された前記操作部配置図上の前記操作部位置により示された位置に、前記パラメータ名を表示させる請求項２に記載の撮像装置。
【請求項４】
前記画面生成部は、前記操作部配置図上の前記操作部に関連付けて前記操作部に割り当てが可能な割当可能パラメータを前記ヘルプ画面にさらに表示させる請求項１に記載の撮像装置。
【請求項５】
前記ヘルプ画面を表示する表示装置と、
前記表示装置に対するタッチ操作を検出するタッチセンサと、
をさらに具備し、
前記画面生成部は、前記ヘルプ画面が前記表示装置に表示されている状態での前記タッチセンサによる操作に応じて、前記操作部配置図及び前記割当パラメータの表示状態を切り替える請求項１に記載の撮像装置。
【請求項６】
前記画面生成部は、異なる角度から描写された複数の前記操作部配置図が存在する場合、前記ヘルプ画面が前記表示装置に表示されている状態での前記タッチセンサによる操作に応じて前記操作部配置図を回転させる請求項５に記載の撮像装置。
【請求項７】
前記パラメータ制御部は、前記ヘルプ画面が前記表示装置に表示されている状態での前記タッチセンサによる操作に応じて前記割当パラメータの設定値を制御する請求項５に記載の撮像装置。
【請求項８】
前記操作部が回転操作を受け付ける操作部である場合、前記画面生成部は、前記操作部の回転操作に応じてどのように割当パラメータが変更されるのかをさらに前記ヘルプ画面に示す請求項１に記載の撮像装置。
【請求項９】
外部機器と通信する通信部をさらに具備し、
前記画面生成部は、前記外部機器からの要求に基づいて前記ヘルプ画面を生成し、生成した前記ヘルプ画面を前記通信部を介して前記外部機器に送信する請求項１に記載の撮像装置。
【請求項１０】
撮像の為の複数のパラメータが割当パラメータとしてそれぞれ割り当てられた複数の操作部と、前記各操作部の操作に基づいて割当パラメータの設定値を制御するパラメータ制御部と、を具備し、
前記複数の操作部の位置を示す操作部配置図上に、前記割当パラメータ毎に割り当てられている前記操作部を示すパラメータデータベースに基づいて前記各操作部に対応した割当パラメータを表示させてヘルプ画面を生成する撮像装置の制御方法。
【請求項１１】
撮像装置と、前記撮像装置と通信する携帯端末とを備える撮像システムであって、
前記撮像装置は、
前記携帯端末と通信する第１の通信部と、
撮像の為の複数のパラメータが割当パラメータとしてそれぞれ割り当てられた第１の複数の操作部と、
前記各操作部の操作に基づいて割当パラメータの設定値を制御するパラメータ制御部と、
を具備し、
前記携帯端末は、
前記撮像装置と通信する第２の通信部と、
操作入力を受け付ける第２の操作部と、
前記第２の通信部を介して前記撮像装置にヘルプ画面の要求を送信する制御部と、
を具備し、
前記撮像装置は、前記携帯端末からの前記要求に応じて、前記第１の複数の操作部の位置を示す操作部配置図上に、前記割当パラメータ毎に割り当てられている前記第１の操作部を示すパラメータデータベースに基づいて前記各第１の操作部に対応した割当パラメータを表示させてヘルプ画面を生成し、生成した前記ヘルプ画面を前記携帯端末に前記第１の通信部を介して送信する撮像システム。
【発明の詳細な説明】
【技術分野】
【０００１】
本発明の実施形態は、撮像装置、及び撮像装置の制御方法、及び撮像システムに関する。
【背景技術】
【０００２】
撮像装置は、一般的に、光に基づいて画像を取得する撮像素子と、撮像素子に光を結像させるレンズなどの光学系と、液晶または有機ＥＬなどの表示装置を備える。撮像装置は、撮像に関する絞り値（Ｆ値）、シャッター速度（ＳＳ）、ＩＳＯ感度、及び露出値（Ｅｖ値）などのパラメータの設定値を変更する機能を割り当て可能な複数の操作部を備える。【０００３】
例えば日本国特開平８−３３９０２０号公報及び特開２００３−３１９２１１号公報には、機器の外観図と、操作手順などを表示装置に表示してユーザに認識させる装置が開示されている。【０００４】
上記のような撮像の為のパラメータを変更する為の機能を任意で割り当てることができる複数の操作部を複数備える撮像装置が一般的に普及している。このような撮像装置では、個人の好みに合わせて操作部に機能を割り当てることができる反面、ある操作部に割り当てられた機能をユーザが認識している必要があるという問題がある。例えば、使用頻度が低い機能が存在する場合、使い慣れた機能の割当が変更された場合、または複数の操作部に割り当てられた機能が変更された場合、操作部に割り当てられている機能をユーザが十分に認識できていない可能性がある。このような場合、ユーザが意図した通りに撮像装置を瞬時に操作することが難しくなり、利便性を損なう可能性があるという課題がある。
【発明の概要】
【０００５】
本発明は、複数の操作部に対する機能を変更しても利便性を損なうことのない撮像装置、及び撮像装置の制御方法、及び撮像システムを提供することを目的とする。
【０００６】
一実施形態に係る撮像装置は、撮像の為の複数のパラメータが割当パラメータとしてそれぞれ割り当てられた複数の操作部と、前記各操作部の操作に基づいて割当パラメータの設定値を制御するパラメータ制御部と、前記複数の操作部の位置を示す操作部配置図上に、前記割当パラメータ毎に割り当てられている前記操作部を示すパラメータデータベースに基づいて前記各操作部に対応した割当パラメータを表示させてヘルプ画面を生成する画面生成部と、を具備する。
【０００７】
本発明によれば、より利便性の高い撮像装置、及び撮像装置の制御方法、及び撮像システムを提供することができる。
【図面の簡単な説明】
【０００８】
【図１】図１は、一実施形態に係る撮像装置の制御系の例について説明する為の図である。
【図２】図２は、一実施形態に係る撮像装置の外観の例について説明する為の図である。
【図３】図３は、一実施形態に係る撮像装置の外観の例について説明する為の図である。
【図４】図４は、一実施形態に係る撮像装置の表示例について説明する為の図である。
【図５】図５は、一実施形態に係る撮像装置の記憶部に記憶される情報の例について説明する為の図である。
【図６】図６は、一実施形態に係る撮像装置の表示例について説明する為の図である。
【図７】図７は、一実施形態に係る撮像装置の表示例について説明する為の図である。
【図８】図８は、一実施形態に係る撮像装置の表示例について説明する為の図である。
【図９】図９は、一実施形態に係る撮像装置の動作の例について説明する為の図である。
【図１０】図１０は、一実施形態に係る撮像装置の動作の例について説明する為の図である。
【図１１】図１１は、一実施形態に係る携帯端末の構成の例について説明する為の図である。
【図１２】図１２は、一実施形態に係る携帯端末の動作及び表示の例について説明する為の図である。
【図１３】図１３は、一実施形態に係る携帯端末の動作の例について説明する為の図である。
【図１４】図１４は、一実施形態に係る撮像装置の動作の例について説明する為の図である。
【図１５】図１５は、一実施形態に係るレンズ型撮像装置の構成の例について説明する為の図である。
【図１６】図１６は、一実施形態に係るレンズ型撮像装置が装着された携帯端末の例について説明する為の図である。
【図１７】図１７は、一実施形態に係るレンズ型撮像装置が装着された携帯端末の例について説明する為の図である。
【図１８】図１８は、一実施形態に係るレンズ型撮像装置の動作の例について説明する為の図である。
【図１９】図１９は、一実施形態に係るレンズ型撮像装置を制御する携帯端末の動作の例について説明する為の図である。
【発明を実施するための形態】
【０００９】
以下、図を参照しながら、一実施形態に係る撮像装置、及び撮像装置の制御方法、及び撮像システムについて詳細に説明する。
【００１０】
（第１の実施形態）  
図１は、撮像装置１００の制御系、及び撮像装置１００を含む撮像システム１の例を示す。図２及び図３は、撮像装置１００の外観の例を示す。
【００１１】
撮像システム１は、撮像装置１００及び交換レンズ（以下レンズ２００と称する）を含む。また、撮像システム１は、例えば、タブレットＰＣ、スマートフォン、またはスレート状の表示装置にキーボードなどの入力装置が組み合わされたＰＣなどのスレートＰＣ（携帯端末）３００をさらに含んでいてもよい。撮像装置１００とスレートＰＣ３００とは、有線または無線で互いに通信することができる。撮像装置１００は、例えば、スレートＰＣ３００の制御に基づいて撮像動作、及び種々のパラメータの変更を実行することができる。またさらに、スレートＰＣ３００は、撮像装置１００内の記録媒体に記録されている画像または動画の再生を実行することができる。
【００１２】
撮像装置１００は、レンズ２００を通過した被写体像を撮像素子によって画像として取得する。また、撮像装置１００は、この画像を液晶モニタ、有機ＥＬディスプレイ等の表示装置にリアルタイムで表示させるライブビュー表示（またはスルー画表示）の機能を備える。また、撮像装置１００は、シャッターボタン３３ｂが全押し操作された場合に画像を記憶媒体に保存することができる。
【００１３】
撮像装置１００は、撮像素子１７、信号処理部１８、アナログディジタル変換器（Ａ／Ｄ）１９、画像処理部２１、ＡＥ処理部２２、Ｊｐｅｇ処理部３１、表示部３２、操作部３３、集音部４１、マイクロコンピュータ５０、記憶部５７、メモリインターフェース（Ｉ／Ｆ）６１、及び通信部７１を備える。
【００１４】
Ａ／Ｄ１９、画像処理部２１、ＡＥ処理部２２、Ｊｐｅｇ処理部３１、表示部３２、操作部３３、集音部４１、マイクロコンピュータ５０、メモリＩ／Ｆ６１、及び通信部７１は、データバス８０を介して互いに接続されている。
【００１５】
また、撮像装置１００は、交換レンズを装着可能な図示されないマウントを備える。マウントには接触端子が設けられている。撮像装置１００は、この接触端子によりマウントに装着されたレンズ２００と通信を行うことができる。これにより、撮像装置１００は、レンズ２００から焦点距離、及び絞り値などのレンズ２００に関する種々の情報をレンズ２００から取得することができる。
【００１６】
レンズ２００は、光を受光し、受光した光を撮像素子１７に結像させる。レンズ２００は、複数のレンズが組み合わされた光学系２００ａ、ＣＰＵ２００ｂ、及びＲＯＭ２００ｃなどを備える。
【００１７】
さらに、レンズ２００は、図２に示されるように、第１の操作リング２１０、及び第２の操作リング２２０を備える。第１の操作リング２１０及び第２の操作リング２２０には、それぞれ合焦距離、焦点距離、及び絞り値（Ｆ値）などの撮像の為のパラメータをそれぞれ割り当てることができる。
【００１８】
光学系２００ａは、例えば、フォーカシング用のレンズ、ズーミング用のレンズ、及び絞り羽根などを含む。レンズ２００は、撮像装置１００のマイクロコンピュータ５０の制御に基づいて、光学系２００ａの合焦用のレンズを駆動する。また、レンズ２００は、第１の操作リング２１０または第２の操作リング２２０に合焦距離が割り当てられている場合、レンズ２００は、第１の操作リング２１０または第２の操作リング２２０の操作に応じてフォーカシング用のレンズを駆動して合焦距離を変更することができる。
【００１９】
また、レンズ２００は、第１の操作リング２１０または第２の操作リング２２０に焦点距離が割り当てられている場合、第１の操作リング２１０または第２の操作リング２２０の操作に応じてズーミング用のレンズを駆動し、焦点距離を変更することができる。
【００２０】
また、レンズ２００は、第１の操作リング２１０または第２の操作リング２２０に絞り値が割り当てられている場合、レンズ２００は、第１の操作リング２１０または第２の操作リング２２０の操作に応じて絞り羽根を駆動して絞り値を変更することができる。
【００２１】
また、レンズ２００は、マウントを経由して撮像装置１００から受信した制御信号に基づいて、ズーミング、フォーカシング、及び絞り値の変更を行う構成であってもよい。
【００２２】
なお、撮像装置１００は、レンズ２００がマウントを介して装着されるのではなく、撮像装置の筐体１００ａにレンズ２００が組み込まれている構成であってもよい。
【００２３】
撮像素子１７は、レンズ２００が装着されるマウント内の後部（撮像装置１００の筐体１００ａの内部側）に設けられる。撮像素子１７は、レンズ２００を通った被写体像を光電変換する画素が二次元的に複数配列された画素アレイを備える。撮像素子１７の各画素は、レンズ２００を通った光をそれぞれ光電変換し電荷を蓄えることができる。撮像素子１７は、例えば、Charge Coupled Devices（ＣＣＤ）、Complementary Metal Oxide Semiconductor（ＣＭＯＳ）、または他の二次元撮像素子である。
【００２４】
信号処理部１８は、撮像素子１７から出力された信号に対して信号処理を施す。例えば、信号処理部１８は、撮像素子１７の各画素に蓄積された電荷を読み出す。即ち、信号処理部１８は、撮像素子１７により生成された画像を読み出す。さらに、信号処理部１８は、読み出した画像に対して例えばアナログ増幅等の所定の信号処理を施し、信号処理を施した信号をＡ／Ｄ１９に出力する。
【００２５】
Ａ／Ｄ１９は、信号処理部１８から供給された信号を量子化し、画像データを取得する。Ａ／Ｄ１９は、マイクロコンピュータ５０の制御に基づいて画像データを画像処理部２１、ＡＥ処理部２２、及びＪｐｅｇ処理部３１などに出力する。即ち、レンズ２００、撮像素子１７、信号処理部１８、及びＡ／Ｄ１９などにより撮像部が構成される。また、撮像部は、筐体１００ａにより支持されている。
【００２６】
画像処理部２１は、Ａ／Ｄ１９によりディジタル化された画像データに対して、色補正、ガンマ(γ)補正、コントラスト補正、白黒・カラーモード処理、及びライブビュー画像処理などの各種の画像処理を行う。
【００２７】
ＡＥ処理部２２は、Ａ／Ｄ１９によりディジタル化された画像データを用いて、露出制御等に用いる被写体輝度情報を取得する。撮像装置１００は、被写体輝度情報に基づいて露出値（Ｅｖ値）に応じたＩＳＯ感度（ＩＳＯ）、絞り値、及びシャッター速度（ＳＳ）の制御を行う。
【００２８】
Ｊｐｅｇ処理部３１は、Ａ／Ｄ１９によりディジタル化された画像データに対してＪｐｅｇ方式で圧縮し、Ｊｐｅｇ方式の画像データ（Ｊｐｅｇデータ）を生成する。Ｊｐｅｇ処理部３１は、マイクロコンピュータ５０の制御に基づいてＪｐｅｇデータをメモリＩ／Ｆ６１に装着された記録媒体Ｍに出力する。これにより、撮像装置１００は、撮像された画像のＪｐｅｇデータを記録媒体Ｍに保存することができる。
【００２９】
表示部３２は、マイクロコンピュータ５０の制御に基づいて種々の情報を表示するモジュールである。表示部３２は、図４及び５により示されるように、表示装置と、データに基づいて画面を表示装置に表示させる駆動回路などを備える。表示部３２は、例えば、筐体１００ａの背面に設けられた液晶モニタ３２ａと、筐体１００ａのファインダー部に設けられた電子ビューファインダー（ＥＶＦ）３２ｂと、撮影者がファインダー部に接眼している状態であるか否かを検出する接眼センサ３２ｃとを備える。なお、表示部３２は、液晶モニタ３２ａの代わりに有機ＥＬディスプレイなどの他の表示装置を筐体１００ａの背面に備える構成であってもよい。また、ＥＶＦ３２ｂは、液晶モニタまたは有機ＥＬディスプレイなどの表示装置と接眼光学系とが組み合わされた構成を備える。
【００３０】
表示部３２は、撮影者がファインダー部に接眼している状態であることを検出した場合、液晶モニタ３２ａの表示をオフにし、ＥＶＦ３２ｂにより表示を行わせる。また、表示部３２は、撮影者がファインダー部に接眼していない状態であることを検出した場合、ＥＶＦ３２ｂの表示をオフにし、液晶モニタ３２ａにより表示を行わせる。
【００３１】
表示部３２は、撮像素子１７によって取得された画像データを液晶モニタ３２ａまたはＥＶＦ３２ｂにライブビュー表示することができる。この為に、マイクロコンピュータ５０は、画像処理部２１によりライブビュー表示用に画像処理が施された画像データ（スルー画）を生成する。マイクロコンピュータ５０は、スルー画を表示部３２に供給するように画像処理部２１を制御する。
【００３２】
さらに、マイクロコンピュータ５０は、各種の設定情報及び撮像装置１００の状態などに基づいて種々のアイコン及び文字などの表示を含むオンスクリーンディスプレイ（ＯＳＤ）表示を表示部３２の表示装置に表示させるためのＯＳＤデータを生成する。マイクロコンピュータ５０は、ＯＳＤデータを表示部３２に供給する。
【００３３】
例えば、マイクロコンピュータ５０は、撮像装置１００の撮影モード、各種の設定情報、バッテリー残量、撮影可能枚数及び撮影可能時間、並びにＡＦエリアなどを表示部３２の表示装置に表示させるためのＯＳＤデータを生成する。マイクロコンピュータ５０は、スルー画にＯＳＤデータに基づくＯＳＤ表示を重畳させるように表示部３２を制御する。
【００３４】
表示部３２は、マイクロコンピュータ５０の制御に基づいて画面を液晶モニタ３２ａまたはＥＶＦ３２ｂに表示させる。即ち、表示部３２は、スルー画に上記のＯＳＤ表示を重畳させて液晶モニタ３２ａまたはＥＶＦ３２ｂに表示させる。
【００３５】
操作部３３は、撮像装置１００のユーザによる操作を受け付ける各種の操作ボタン、及びダイアルなどを含む。即ち、操作部３３は、撮像の為の複数のパラメータが割当パラメータとしてそれぞれ割り当てられた複数の操作部から構成される。マイクロコンピュータ５０は、操作部３３の各種の操作ボタン、及びダイアル操作に基づいて、割当パラメータの設定値を制御するパラメータ制御部として機能する。パラメータの設定値は、例えばＦ値、ＳＳ、ＩＳＯ感度、及びＥｖ値などの設定値を示す。マイクロコンピュータ５０は、操作部３３の各種の操作ボタン、及びダイアル操作に基づいて、Ｆ値、ＳＳ、ＩＳＯ感度、及びＥｖ値などの設定値を制御することができる。
【００３６】
図２及び図３に示されるように、操作部３３は、モードダイアル３３ａ、シャッターボタン３３ｂ、フロントダイアル３３ｃ、リアダイアル３３ｄ、ムービーボタン３３ｅ、第１のファンクションボタン３３ｆ、第２のファンクションボタン３３ｇ、第３のファンクションボタン３３ｈ、第４のファンクションボタン３３ｉ、ＭＥＮＵボタン３３ｊ、十字ボタン３３ｋ、ＯＫボタン３３ｍ、再生ボタン３３ｎ、消去ボタン３３ｏ、ＩＮＦＯボタン３３ｐ、切替レバー３３ｑ、及び電源スイッチ３３ｒなどを備える。
【００３７】
モードダイアル３３ａは、撮像装置１００に撮影モードを切替させる為の操作部である。撮像装置１００は、例えば、絞り優先モード（Ａモード）、シャッター速度優先モード（Ｓモード）、及びマニュアルモード（Ｍモード）などの撮影モードを有する。撮像装置１００は、モードダイアル３３ａの操作に応じてＡモード、Ｓモード、及びＭモードを切り替えることができる。
【００３８】
Ａモードは、撮像装置１００の操作者（撮影者）が絞り値を決める撮影モードである。操作入力により絞り値が決定された場合、撮像装置１００は、適正露出が得られるようにシャッター速度を自動的に設定する。
【００３９】
Ｓモードは、撮影者がシャッター速度を決める撮影モードである。操作入力によりシャッター速度が決定された場合、撮像装置１００は、適正露出が得られるように絞り値を自動的に設定する。
【００４０】
Ｍモードは、撮影者が絞り値及びシャッター速度を決める撮影モードである。撮像装置１００は、操作入力により決定されたシャッター速度及び絞り値に基づいて撮影を実行する。
【００４１】
シャッターボタン３３ｂは、撮像装置１００にレリーズ動作及びオートフォーカス（ＡＦ）動作を行わせるためのボタンである。例えばシャッターボタン３３ｂが半押しされた場合、撮像装置１００は、オートフォーカス動作を行う。即ち、撮像装置１００は、ＡＦエリア内での対象物で合焦するようにレンズ２００に制御信号を出力する。
【００４２】
また、例えばシャッターボタン３３ｂが全押しされた場合、撮像装置１００は、撮影を実行する。即ち、撮像装置１００は、設定情報に基づいて撮像素子１７により電荷を生成し、生成された電荷に応じて信号処理部１８及びＡ／Ｄ１９により画像データを生成し、画像データをＪｐｅｇ処理部３１によりＪｐｅｇデータに変換し、ＪｐｅｇデータをメモリＩ／Ｆ６１に装着されている記録媒体Ｍに保存する。また、撮像装置１００は、例えばＪｐｅｇデータとＡ／Ｄ１９により変換された画像データとの両方をメモリＩ／Ｆ６１に装着されている記録媒体Ｍに保存する構成であってもよい。
【００４３】
フロントダイアル３３ｃ及びリアダイアル３３ｄは、割り当てられたパラメータを変更する機能を実行する操作部である。フロントダイアル３３ｃ及びリアダイアル３３ｄは、それぞれ無限に回転可能な状態で設けられている。フロントダイアル３３ｃ及びリアダイアル３３ｄは、絞り値、シャッター速度、ＩＳＯ、ホワイトバランス（ＷＢ）、及び露出値などのパラメータのうちのいずれかがそれぞれ割り当てられる。撮像装置１００は、フロントダイアル３３ｃ及びリアダイアル３３ｄの回転に応じて割り当てられたパラメータを変更する。
【００４４】
ムービーボタン３３ｅ、撮像装置１００に動画撮影を実行させる為のボタンである。撮像装置１００は、ムービーボタン３３ｅが押された場合、動画の撮影を開始する。また、撮像装置１００は、動画撮影中にムービーボタン３３ｅが押された場合、動画の撮影を停止し、動画データをメモリＩ／Ｆ６１に装着されている記録媒体Ｍに保存する。
【００４５】
第１のファンクションボタン３３ｆ、第２のファンクションボタン３３ｇ、第３のファンクションボタン３３ｈ、及び第４のファンクションボタン３３ｉは、撮像のためのパラメータの設定値を変更する機能を割り当てることが可能に構成された操作部である。マイクロコンピュータ５０は、第１のファンクションボタン３３ｆ、第２のファンクションボタン３３ｇ、第３のファンクションボタン３３ｈ、及び第４のファンクションボタン３３ｉに割り当てるパラメータ（割当パラメータ）を変更する。撮像装置１００は、例えば、色調、ＷＢ、ＡＦモード、記録画質、アスペクト比、連射速度、ハイダイナミックレンジ（ＨＤＲ）、及び測光モードなどを撮像の為のパラメータとしてさらに有する。第１のファンクションボタン３３ｆ、第２のファンクションボタン３３ｇ、第３のファンクションボタン３３ｈ、及び第４のファンクションボタン３３ｉには、これらの複数のパラメータのうちのいずれかがそれぞれ割り当てられる。
【００４６】
撮像装置１００は、第１のファンクションボタン３３ｆ、第２のファンクションボタン３３ｇ、第３のファンクションボタン３３ｈ、及び第４のファンクションボタン３３ｉの操作に応じてそれぞれ割り当てられたパラメータの設定値を変更する機能を実行することができる。
【００４７】
ＭＥＮＵボタン３３ｊは、ＭＥＮＵ画面を撮像装置１００に開かせる為のボタンである。撮像装置１００は、ＭＥＮＵボタン３３ｊが押された場合、メニュー画面を液晶モニタ３２ａまたはＥＶＦ３２ｂに表示させる。
【００４８】
十字ボタン３３ｋ、ユーザ（撮影者）による上下左右の操作を受け付ける為のボタンである。例えば、撮像装置１００は、十字ボタン３３ｋの操作に応じて、ＡＦエリアを移動させることができる。また、十字ボタン３３ｋは、中央にＯＫボタン３３ｍを備える。撮像装置１００は、メニュー画面が液晶モニタ３２ａまたはＥＶＦ３２ｂに表示されている状態での十字ボタン３３ｋの操作に応じて、メニュー中の選択項目を切り替えることができる。また、撮像装置１００は、ＯＫボタン３３ｍの操作に応じて各種の設定情報を変更を実行することができる。こうしたボタン操作で、ユーザは様々な撮影パラメータ及び設定の変更を行うことが出来る。
【００４９】
再生ボタン３３ｎは、記録媒体Ｍに記録されている画像及び動画の再生を撮像装置１００に実行させる為のボタンである。撮像装置１００は、再生ボタン３３ｎが押された場合、記録媒体Ｍに保存されている画像または動画を表示する再生画面を液晶モニタ３２ａまたはＥＶＦ３２ｂに表示させる。撮像装置１００は、再生画面を液晶モニタ３２ａまたはＥＶＦ３２ｂに表示させている状態での十字ボタン３３ｋの操作に応じて、表示する画像または動画を切り替えることができる。
【００５０】
消去ボタン３３ｏは、記録媒体Ｍに記録されている画像及び動画の消去を撮像装置１００に実行させる為のボタンである。撮像装置１００は、画像または動画の表示中に消去ボタン３３ｏが押された場合、記録媒体Ｍに保存されている画像または動画を消去する。
【００５１】
ＩＮＦＯボタン３３ｐは、液晶モニタ３２ａまたはＥＶＦ３２ｂに表示させるＯＳＤ表示を切り替えるためのボタンである。撮像装置１００は、例えば、ＩＮＦＯボタン３３ｐが操作される毎に、スルー画のみを液晶モニタ３２ａまたはＥＶＦ３２ｂに表示させる状態、スルー画に簡易なＯＳＤ表示を重畳させて液晶モニタ３２ａまたはＥＶＦ３２ｂに表示させる状態、スルー画に詳細なＯＳＤ表示を重畳させて液晶モニタ３２ａまたはＥＶＦ３２ｂに表示させる状態とを切り替える。
【００５２】
切替レバー３３ｑは、フロントダイアル３３ｃ及びリアダイアル３３ｄに割り当てられているパラメータを切り替えるためのスイッチである。切替レバー３３ｑは、「レバー１」と「レバー２」の二つの状態を有する。例えば、撮像装置１００は、切替レバー３３ｑが「レバー１」の状態である場合、フロントダイアル３３ｃ及びリアダイアル３３ｄに絞り値及びシャッター速度をそれぞれ割り当て、切替レバー３３ｑが「レバー２」の状態である場合、フロントダイアル３３ｃ及びリアダイアル３３ｄにＩＳＯ及びＷＢをそれぞれ割り当てる。なお、切替レバー３３ｑの状態に応じてフロントダイアル３３ｃ及びリアダイアル３３ｄに割り当てるパラメータは、上記のものに限らず、如何なるものであってもよい。
【００５３】
電源スイッチ３３ｒは、撮像装置１００の電源の状態をＯＮ／ＯＦＦとで切り替える為のスイッチである。
【００５４】
またさらに、操作部３３は、表示部３２の液晶モニタ３２ａと一体に形成されたタッチセンサ３３ｓを備える構成であってもよい。タッチセンサ３３ｓは、例えば抵抗膜式タッチセンサ、または静電容量式タッチセンサである。撮像装置１００は、各種のパラメータを変更可能な状態で表示部３２の液晶モニタ３２ａに表示させ、タッチセンサ３３ｓ上での操作入力に応じてこれらのパラメータを変更する構成であってもよい。
【００５５】
図４は、表示部３２により表示されるスルー画を含むライブビュー表示の例を示す。  
ライブビュー表示は、例えば、スルー画４０１、撮影モードを示すアイコン４０２、シャッター速度を示すインジケータ４０３、絞り値を示すインジケータ４０４、露出値を示すインジケータ４０５、各種の設定情報（撮像の為のパラメータ）を示すアイコン群４０６、撮影可能枚数及び撮影可能時間を示すインジケータ４０７、バッテリー残量を示すインジケータ４０８、ＡＦエリアを示すインジケータ４０９、及びヘルプ画面を呼び出すためのアイコン４１０などを含む。
【００５６】
マイクロコンピュータ５０は、操作部３３による操作、撮像素子１７により取得した画像、及び撮像装置１００の内部の状態に応じて、表示部３２の表示装置に表示させる画面を逐次更新する。
【００５７】
なお、ヘルプ画面は、フロントダイアル３３ｃ及びリアダイアル３３ｄ、並びに、第１のファンクションボタン３３ｆ、第２のファンクションボタン３３ｇ、第３のファンクションボタン３３ｈ、及び第４のファンクションボタン３３ｉに割り当てられたパラメータを示す画面である。ヘルプ画面の例については後述する。
【００５８】
集音部４１は、動画の撮影時に音声を取得する為のステレオマイクを備える。集音部４１は、ステレオマイクによりステレオの音声を取得することができる。また、集音部４１は、ステレオマイクによりモノラルの音声を取得することもできる。
【００５９】
マイクロコンピュータ５０は、撮像装置１００の各種の動作を制御する制御部である。マイクロコンピュータ５０は、例えばＣＰＵ及びキャッシュメモリなどを備える。記憶部５７は、撮像装置１００を制御する為のプログラム、各種の機能を実現する為のプログラム、及び各種の設定情報などを記憶する。ＣＰＵは、種々の演算処理を実行する演算素子である。キャッシュメモリは、ＣＰＵによる演算の結果、ＣＰＵにより読み込まれたデータなどを一時的に記憶する。マイクロコンピュータ５０は、操作部３３から供給された操作信号に基づいて、記憶部５７に記憶されているプログラムを実行し、撮像装置１００の各部の動作を制御する。
【００６０】
例えば、マイクロコンピュータ５０は、プログラムを実行することにより、撮影制御部、表示制御部、画像処理制御部、操作判定部、通信制御部、及びパラメータ制御部として機能する。撮影制御部として機能する場合、マイクロコンピュータ５０は、操作入力またはスレートＰＣ３００から受信した制御信号に従って、撮像処理を制御する。表示制御部として機能する場合、マイクロコンピュータ５０は、表示部３２による表示処理を制御する。画像処理制御部として機能する場合、マイクロコンピュータ５０は、画像処理部２１、ＡＥ処理部、及びＪｐｅｇ処理部による画像処理を制御する。操作判定部として機能する場合、マイクロコンピュータ５０は、操作部３３により入力された操作の判定、及び通信部７１を介してスレートＰＣ３００から入力された制御信号の認識を行う。通信制御部として機能する場合、マイクロコンピュータ５０は、通信部７１による通信処理を制御する。パラメータ制御部として機能する場合、マイクロコンピュータ５０は、操作入力またはスレートＰＣ３００から受信した制御信号に従って、パラメータの変更を制御する。
【００６１】
メモリＩ／Ｆ６１は、記録媒体Ｍと撮像装置１００の各部との間でのデータの入出力を制御する。メモリＩ／Ｆ６１は、記録媒体Ｍを挿入可能なカードスロットなどを備える。記録媒体Ｍは、複数の接触端子を備える。また、メモリＩ／Ｆ６１は、記録媒体Ｍがカードスロットに挿入された場合に記録媒体Ｍの接触端子と電気的に接続される接触端子を備える。これにより、撮像装置１００は、記録媒体Ｍにデータを保存することと、記録媒体Ｍからデータを読み出すこととを実行することができる。
【００６２】
通信部７１は、スレートＰＣ３００と種々のデータ通信を行う為のモジュールである。通信部７１は、例えば、無線ＬＡＮ、またはＢｌｕｅｔｏｏｔｈ（登録商標）等によりスレートＰＣ３００と通信を行うことができる。また、スレートＰＣ３００が例えばイントラネット等のネットワークに接続されている場合、通信部７１は、無線ＬＡＮによりネットワークを経由してスレートＰＣ３００と通信する構成であってもよい。撮像装置１００は、通信部７１によりスレートＰＣ３００または他の種々の機器と通信することができる。
【００６３】
また、記憶部５７は、第１の記憶領域５７ａと第２の記憶領域５７ｂとを具備する。第１の記憶領域５７ａは、撮像装置１００の外観上での各種のボタン及びダイアル等の位置を示す図（ボタン配置図）を予め記憶する。なお、第１の記憶領域５７ａは、撮像装置１００を複数の角度から見た場合の複数のボタン配置図を予め記憶する。例えば、第１の記憶領域５７ａは、撮像装置１００を前面側から見た場合のボタン配置図、及び撮像装置１００を背面側から見た場合のボタン配置図を予め記憶する。またさらに、第１の記憶領域５７ａは、撮像装置１００の前面側から背面側にかけて段階的に異なる角度から描写された複数のボタン配置図を予め記憶する。
【００６４】
撮像装置１００は、これらのボタン配置図を操作に応じて切り替えて表示部３２により表示させることにより、操作に応じてボタン配置図が回転するように表示させることができる。
【００６５】
第２の記憶領域５７ｂは、撮像に関する各種のパラメータ名毎に、操作の有無（操作有無）、対応している操作部（対応操作部）、対応しているボタン配置図（対応ボタン配置図）、及びボタン配置図上での位置（操作部位置）を示す情報が対応付けられたパラメータデータベース（パラメータＤＢ）を記憶する。
【００６６】
図５は、パラメータＤＢの例を示す図である。なお、変更可能なパラメータは、撮影モード毎に異なる。この為、第２の記憶領域部５７ｂは、例えば撮影モード毎にパラメータＤＢを備える。図５は、撮像装置１００の撮影モードがＡモードである場合のパラメータＤＢの例を示す。
【００６７】
「操作有無」は、対応付けられているパラメータが、パラメータＤＢに対応した撮影モードで変更可能なパラメータであるか否かを示す情報である。「対応操作部」は、対応付けられているパラメータが割り当てられた操作部を示す情報である。「対応ボタン配置図」は、対応付けられている「対応操作部」を上記のヘルプ画面に表示する場合に用いるボタン配置図を示す情報である。「操作部位置」は、対応付けられている「対応操作部」の「対応ボタン配置図」により示されたボタン配置図上での位置（例えば座標など）を示す情報である。
【００６８】
図５に示されるように、パラメータＤＢは、例えば絞り値、シャッター速度、ＩＳＯ、露出値などのパラメータを含む。なお、Ａモードでは、シャッター速度がオートで固定された設定になる。この為、Ａモードでは、シャッター速度のパラメータに「操作有無」として「無」が対応付けられている。
【００６９】
例えば、「絞り値」には、対応操作部として「フロントダイアル」が対応付けられている。さらに、「絞り値」には、対応ボタン配置図として「前面」、「右側面」、及び「背面」が対応付けられている。即ち、「絞り値」のパラメータがフロントダイアル３３ｃにより変更可能であり、フロントダイアル３３ｃが「前面」、「右側面」、及び「背面」のボタン配置図上で表示されることが示されている。
【００７０】
撮像装置１００は、上記のボタン配置図を第１の記憶領域５７ａから読み出し、パラメータＤＢを第２の記憶領域５７ｂから読み出し、読み出したボタン配置図及びパラメータＤＢに基づいて、図６及び図７に示されるようなヘルプ画面を生成する。ヘルプ画面は、各種の操作部に割り当てられた割当パラメータを示す画面である。
【００７１】
マイクロコンピュータ５０は、操作部３３の各部の位置を示すボタン配置図（操作部配置図）上に、割当パラメータ毎に割り当てられている操作部を示すパラメータＤＢに基づいて各操作部に対応した割当パラメータを表示させてヘルプ画面を生成する。この場合、マイクロコンピュータ５０は、画面生成部として機能する。
【００７２】
図６及び図７は、ヘルプ画面６０１の例を示す図である。図６は、撮像装置１００の前面側のヘルプ画面６０１の例を示す。図７は、撮像装置１００の背面側のヘルプ画面６０１の例を示す。
【００７３】
撮像装置１００は、接眼センサ３２ｃにより撮影者がファインダー部に接眼している状態であることを検出した場合、ヘルプ画面６０１をＥＶＦ３２ｂに表示させる。また、撮像装置１００は、接眼センサ３２ｃにより撮影者がファインダー部に接眼していない状態であることを検出した場合、ヘルプ画面６０１を液晶モニタ３２ａに表示させる。
【００７４】
なお、撮像装置１００は、図８に示されるように表示部３２により表示されたヘルプ画面６０１上のボタン配置図を操作入力に応じて回転させることができる。
【００７５】
図８では、ボタン配置図が正面であるヘルプ画面６０１ｏ、ボタン配置図が左側面であるヘルプ画面６０１ｐ、ボタン配置図が背面であるヘルプ画面６０１ｑ、及びボタン配置図が右側面であるヘルプ画面６０１ｒが示されている。例えば画面８０１乃至８０４を液晶モニタ３２ａに表示している状態でタッチセンサ３３ｓにより左右のフリック操作（回転操作）が入力された場合、マイクロコンピュータ５０は、ヘルプ画面６０１ｏ乃至ヘルプ画面６０１ｒの表示を切り替える。例えば、左方向のフリック操作が入力された場合、マイクロコンピュータ５０は、ヘルプ画面６０１ｏ＞ヘルプ画面６０１ｐ＞ヘルプ画面６０１ｑ＞ヘルプ画面６０１ｒ＞ヘルプ画面６０１ｏの順で画面を切り替える。また、例えば、右方向のフリック操作が入力された場合、マイクロコンピュータ５０は、ヘルプ画面６０１ｏ＞ヘルプ画面６０１ｒ＞ヘルプ画面６０１ｑ＞ヘルプ画面６０１ｐ＞ヘルプ画面６０１ｏの順で画面を切り替える。これにより、マイクロコンピュータ５０は、タッチセンサ３３ｓにより入力された左右のフリック操作に応じてヘルプ画面６０１上のボタン配置図を回転させることができる。本実施例では、ボタン配置図の変更中は、図６、図７で表示されるインジケータ６０１ｃ等は非表示にすることで、姿勢がより把握しやすくなるように視認性を高めている。
【００７６】
例えば、「絞り値」には、対応操作部として「フロントダイアル」が対応付けられている。さらに、「絞り値」には、対応ボタン配置図として「前面」、「右側面」、及び「背面」が対応付けられている。即ち、「絞り値」のパラメータがフロントダイアル３３ｃにより変更可能であり、フロントダイアル３３ｃが「前面」、「右側面」、及び「背面」のボタン配置図上で表示されることが示されている。
【００７７】
なお、ヘルプ画面６０１がＥＶＦ３２ｂに表示されている場合、撮像装置１００は、十字ボタン３３ｋ、フロントダイアル３３ｃ、またはリアダイアル３３ｄの操作入力に基づいて、ヘルプ画面６０１上でのボタン配置図を回転させることができる。
【００７８】
また、ヘルプ画面６０１が液晶モニタ３２ａに表示されている場合、撮像装置１００は、液晶モニタ３２ａと一体に形成されたタッチセンサ３３ｓ、十字ボタン３３ｋ、フロントダイアル３３ｃ、またはリアダイアル３３ｄによる操作入力に基づいて、ヘルプ画面６０１上でのボタン配置図を回転させることができる。
【００７９】
撮像装置１００は、読み出したボタン配置図を描画する。さらに、撮像装置１００は、各操作部に割り当てられたパラメータ（割当パラメータ）、及び各操作部により割り当てが可能なパラメータ（割当可能パラメータ）を示す情報をボタン配置図上の各操作部の近傍に表示させてヘルプ画面６０１を生成する。即ち、マイクロコンピュータ５０は、ボタン配置図図上の割当パラメータが割り当てられている操作部と関連付けて、割当パラメータをヘルプ画面６０１内に表示させる。
【００８０】
より具体的には、撮像装置１００は、描画したボタン配置図上のパラメータＤＢ内の「操作部位置」により示された位置に、パラメータＤＢ内の「パラメータ名」を表示させる。即ち、図６及び図７に示すヘルプ画面６０１は、ボタン配置図上の操作部に対応する位置に、この操作部に割り当てられた割当パラメータ及びこの操作部に割り当てが可能な割当可能パラメータが示された画面である。
【００８１】
さらに、例えば、撮像装置１００は、各操作部に割当が可能なパラメータの種類を示すリストを各操作ボタンまたはダイアル毎に予め記憶部５７内に保持している。これにより、撮像装置１００は、撮像装置１００の各操作部に割り当てが可能なパラメータを示す情報をヘルプ画面に表示させることができる。これにより、撮像装置１００は、各操作部により変更するように設定されている割当パラメータと、各操作部により変更するように設定することができるパラメータ割当可能パラメータとを同時にヘルプ画面６０１に表示させることができる。
【００８２】
またさらに、レンズ２００のＲＯＭ２００ｃは、レンズ２００の外観上での操作部の位置を示す図（レンズ外観図）を予め記憶する。さらに、ＲＯＭ２００ｃは、レンズ２００の第１の操作リング２１０及び第２の操作リング２２０に割当可能なパラメータの種類を示すリストを備える。またさらに、ＲＯＭ２００ｃは、レンズ２００の操作部位置を示す情報、即ち、レンズ外観図上での第１の操作リング２１０及び第２の操作リング２２０の位置を示す情報を備える。
【００８３】
撮像装置１００は、レンズ２００のＲＯＭ２００ｃからレンズ外観図、第１の操作リング２１０及び第２の操作リング２２０に割当可能なパラメータを示す情報、及び操作部位置などをレンズ情報として取得する。これにより、撮像装置１００は、レンズ２００の各操作部に割り当てが可能なパラメータを示す情報をヘルプ画面６０１にさらに表示させることができる。
【００８４】
図６の例によると、撮像装置１００は、ヘルプ画面６０１に、割当パラメータ及び割当可能パラメータを表示する為のインジケータ６０１ａ乃至６０１ｈを表示させる。
【００８５】
インジケータ６０１ａは、フロントダイアル３３ｃに割り当てられたパラメータ及び、フロントダイアル３３ｃに割り当てが可能なパラメータを示す。さらに、インジケータ６０１ａは、フロントダイアル３３ｃの回転方向に応じてどのようにパラメータが変更されるのかを示すこともできる。図６及び図７の例によると、インジケータ６０１ａは、フロントダイアル３３ｃに「絞り値」が割り当てられ、フロントダイアル３３ｃに「露出値」、及び「ＩＳＯ」などを割り当て可能であり、「絞り値」の現行値が「３．５」であり、フロントダイアル３３ｃが右方向に回転された場合に「絞り値」が「３．５」から「４．０」に変化し、フロントダイアル３３ｃが左方向に回転された場合に「絞り値」が「３．５」から「３．２」に変化することを示している。
【００８６】
インジケータ６０１ｂは、リアダイアル３３ｄに割り当てられたパラメータ及び、リアダイアル３３ｄに割り当てが可能なパラメータを示す。さらに、インジケータ６０１ｂは、リアダイアル３３ｄの回転方向に応じてどのようにパラメータが変更されるのかを示すこともできる。
【００８７】
インジケータ６０１ｃは、第１のファンクションボタン３３ｆに割り当てられたパラメータ及び、第１のファンクションボタン３３ｆに割り当てが可能なパラメータを示す。さらに、インジケータ６０１ｃは、第１のファンクションボタン３３ｆの操作に応じてどのようにパラメータが変更されるのかを示すこともできる。図６及び図７の例によると、インジケータ６０１ｃは、第１のファンクションボタン３３ｆに「色調」が割り当てられ、第１のファンクションボタン３３ｆに「ＡＦモード」、「ＷＢ」、及び「連射モード」などを割り当て可能であり、「色調」の現行値が「ｎａｔｕｒａｌ」であり、第１のファンクションボタン３３ｆが操作される毎に「色調」が「ｓｔａｎｄａｒｄ」、「ｎａｔｕｒａｌ」、「ｖｉｖｉｄ」と変化することを示している。
【００８８】
インジケータ６０１ｄは、第２のファンクションボタン３３ｇに割り当てられたパラメータ及び、第２のファンクションボタン３３ｇに割り当てが可能なパラメータを示す。さらに、インジケータ６０１ｄは、第２のファンクションボタン３３ｇの操作に応じてどのようにパラメータが変更されるのかを示すこともできる。
【００８９】
インジケータ６０１ｅは、第３のファンクションボタン３３ｈに割り当てられたパラメータ及び、第３のファンクションボタン３３ｈに割り当てが可能なパラメータを示す。さらに、インジケータ６０１ｅは、第３のファンクションボタン３３ｈの操作に応じてどのようにパラメータが変更されるのかを示すこともできる。
【００９０】
インジケータ６０１ｆは、第４のファンクションボタン３３ｉに割り当てられたパラメータ及び、第４のファンクションボタン３３ｉに割り当てが可能なパラメータを示す。さらに、インジケータ６０１ｆは、第４のファンクションボタン３３ｉの操作に応じてどのようにパラメータが変更されるのかを示すこともできる。
【００９１】
インジケータ６０１ｇは、レンズ２００の第１の操作リング２１０に割り当てられたパラメータ及び、第１の操作リング２１０に割り当てが可能なパラメータを示す。さらに、インジケータ６０１ｇは、第１の操作リング２１０の操作に応じてどのようにパラメータが変更されるのかを示すこともできる。図６及び図７の例によると、インジケータ６０１ｇは、第１の操作リング２１０に「焦点距離」が割り当てられ、第１の操作リング２１０に「絞り値」、及び「合焦距離」などを割り当て可能であり、第１の操作リング２１０が右方向に回転された場合に「焦点距離」が望遠側に変化し、第１の操作リング２１０が左方向に回転された場合に「焦点距離」がワイド側に変化することを示している。
【００９２】
インジケータ６０１ｈは、レンズ２００の第２の操作リング２２０に割り当てられたパラメータ及び、第２の操作リング２２０に割り当てが可能なパラメータを示す。さらに、インジケータ６０１ｈは、第２の操作リング２２０の操作に応じてどのようにパラメータが変更されるのかを示すこともできる。図６及び図７の例によると、インジケータ６０１ｈは、第２の操作リング２２０に「合焦距離」が割り当てられ、第２の操作リング２２０に「焦点距離」、及び「絞り値」などを割り当て可能であり、第２の操作リング２２０が右方向に回転された場合に「合焦距離」が「０．３２ｍ」から「０．３３ｍ」に変化し、第２の操作リング２２０が左方向に回転された場合に「合焦距離」が「０．３２ｍ」から「０．３１ｍ」に変化することを示している。
【００９３】
また、撮像装置１００は、ヘルプ画面６０１が液晶モニタ３２ａに表示されている場合、ヘルプ画面６０１上で割当パラメータを変更する構成であってもよい。またさらに、撮像装置１００は、ヘルプ画面６０１が液晶モニタ３２ａに表示されている場合、ヘルプ画面６０１上でパラメータの設定値を変更する構成であってもよい。
【００９４】
例えば、撮像装置１００は、ヘルプ画面６０１上のインジケータ６０１ａ乃至６０１ｈに対してタッチセンサ３３ｓにより左右のフリック操作が入力された場合、インジケータに対応している操作部の割当パラメータ及びパラメータの設定値を変更する構成であってもよい。また、例えば、撮像装置１００は、ヘルプ画面６０１が表示部３２に表示されている場合の十字ボタン３３ｋ、フロントダイアル３３ｃ、及びリアダイアル３３ｄの操作に基づいて、ヘルプ画面６０１上の複数のインジケータ６０１ａ乃至６０１ｈのうちの１つを選択し、選択したインジケータに対応している操作部の割当パラメータ及びパラメータの設定値を変更する構成であってもよい。
【００９５】
なお、第１のファンクションボタン３３ｆ、第２のファンクションボタン３３ｇ、第３のファンクションボタン３３ｈ、及び第４のファンクションボタン３３ｉは、押下される毎に割当パラメータをサイクリックに変更するように構成されている。これにより、撮像装置１００は、第１のファンクションボタン３３ｆ、第２のファンクションボタン３３ｇ、第３のファンクションボタン３３ｈ、及び第４のファンクションボタン３３ｉの押下に応じて割当パラメータの設定値をサイクリックに変更することができる。なお、既に設定されている操作部のあるパラメータを示す情報については、設定済みであることを識別できるように例えば文字の色や濃度を変えて表示するようにしてもよい。
【００９６】
撮像装置１００は、ヘルプ操作が入力された場合にヘルプ画面６０１を液晶モニタ３２ａまたはＥＶＦ３２ｂに表示させる。ヘルプ操作は、例えば、図４に示されたスルー画４０１上のアイコン４１０のタッチセンサ３３ｓによる操作入力、または予めヘルプ操作が割り当てられた操作部３３の中のボタンによる操作入力などである。また、撮像装置１００は、電源スイッチ３３ｒが操作されて撮像装置１００の電源状態がオフからオンになった場合に所定時間ヘルプ画面６０１を表示部３２の液晶モニタ３２ａに表示させる構成であってもよい。
【００９７】
またさらに、撮像装置１００は、接眼センサ３２ｃにより撮影者がファインダー部に接眼している状態であることを検出した場合にヘルプ操作として機能する操作部を備える構成であってもよい。例えば、消去ボタン３３ｏは、撮影者がファインダー部に接眼している状態で使用される頻度が低いことが予想される。そこで、例えば、撮像装置１００は、接眼センサ３２ｃにより撮影者がファインダー部に接眼している状態であることを検出した場合に消去ボタン３３ｏが押下された場合にヘルプ操作が入力されたと認識する構成であってもよい。
【００９８】
図９乃至図１０は、撮像装置１００の動作の例を示す。  
撮像装置１００の電源がＯＮされた場合、撮像装置１００は、図９乃至図１１に示す動作を実行する。
【００９９】
撮像装置１００のマイクロコンピュータ５０は、撮影モードであるか否か判断する（ステップＳ１１）。撮影モードではないと判断した場合、マイクロコンピュータ５０は、後述する図１０の処理に移行する。
【０１００】
ステップＳ１１で撮影モードであると判断した場合、マイクロコンピュータ５０は、レンズ交換が行われたか否か判断する（ステップＳ１２）。すなわち、マイクロコンピュータ５０は、マウント部からレンズ２００が取り外され、且つ再度レンズ２００が装着されたか否か判断する。
【０１０１】
マイクロコンピュータ５０は、レンズ交換が行われたと判断した場合、レンズ情報をレンズ２００から取得する。（ステップＳ１３）。
【０１０２】
マイクロコンピュータ５０は、スルー画を取得し、スルー画にＯＳＤ表示を重畳させて表示部３２により表示させる（ステップＳ１４）。
【０１０３】
マイクロコンピュータ５０は、スルー画の表示中に操作入力があるか否か判断する（ステップＳ１５）。マイクロコンピュータ５０は、操作入力がないと判断した場合、ステップＳ１１の処理にループする。
【０１０４】
マイクロコンピュータ５０は、操作入力があったと判断した場合、操作入力がヘルプ操作であるか否か判断する（ステップＳ１６）。
【０１０５】
マイクロコンピュータ５０は、操作入力がヘルプ操作ではないと判断した場合、操作入力がシャッターボタン３３ｂの操作であるか否か判断する（ステップＳ１７）。
【０１０６】
マイクロコンピュータ５０は、操作入力がシャッターボタン３３ｂの操作であると判断した場合、撮影を実行し、ステップＳ１１の処理にループする（ステップＳ１８）。即ち、マイクロコンピュータ５０は、設定情報に基づいて撮像素子１７により電荷を生成し、生成された電荷に応じて信号処理部１８及びＡ／Ｄ１９により画像データを生成する。さらに、マイクロコンピュータ５０は、生成された画像データをメモリＩ／Ｆ６１に装着されている記録媒体Ｍに保存し、ステップＳ１１の処理に戻る。
【０１０７】
マイクロコンピュータ５０は、操作入力がシャッターボタン３３ｂの操作ではないと判断した場合、操作されたボタンに応じた動作を実行し、ステップＳ１１の処理にループする（ステップＳ１９）。
【０１０８】
ステップＳ１６で操作入力がヘルプ操作であると判断した場合、マイクロコンピュータ５０は、ヘルプ画面６０１を表示部３２により表示させる。この為に、マイクロコンピュータ５０は、ボタン配置図を記憶部５７の第１の記憶領域５７ａから読み出す（ステップＳ２０）。
【０１０９】
さらに、マイクロコンピュータ５０は、パラメータＤＢを記憶部５７の第２の記憶領域５７ｂから読み出す（ステップＳ２１）。
【０１１０】
マイクロコンピュータ５０は、読み出したボタン配置図及びパラメータＤＢに基づいて、ヘルプ画面６０１を生成する（ステップＳ２２）。
【０１１１】
マイクロコンピュータ５０は、生成したヘルプ画面６０１を表示部３２により表示させる（ステップＳ２３）。
【０１１２】
さらに、マイクロコンピュータ５０は、ヘルプ画面６０１の表示中の操作入力に基づいて、ボタン配置図を回転させる操作が入力されたか否か判断する（ステップＳ２４）。ボタン配置図を回転させる操作が入力されたと判断した場合、マイクロコンピュータ５０は、ステップＳ２０の処理にループしてステップＳ２０乃至ステップＳ２３の処理を実行し、操作に応じた別の角度のボタン配置図を用いてヘルプ画面６０１を生成する。これにより、撮像装置１００は、操作入力に応じてヘルプ画面６０１上のボタン配置図を逐次回転させることができる。
【０１１３】
また、ステップＳ２４でボタン配置図を回転させる操作が入力されていないと判断した場合、マイクロコンピュータ５０は、割当パラメータまたはパラメータの設定値を変更する操作が入力されたか否か判断する（ステップＳ２５）。割当パラメータまたはパラメータの設定値を変更する操作が入力されたと判断した場合、マイクロコンピュータ５０は、割当パラメータまたはパラメータの設定値を変更する（ステップＳ２６）。
【０１１４】
さらに、マイクロコンピュータ５０は、ヘルプ画面６０１の終了操作が行われたか否かを判断する（ステップＳ２７）。例えば、マイクロコンピュータ５０は、ヘルプ画面６０１の表示中にシャッターボタン３３ｂ、ムービーボタン３３ｅ、ＭＥＮＵボタン３３ｊ、再生ボタン３３ｎ、消去ボタン３３ｏ、またはＩＮＦＯボタン３３ｐなどが操作された場合、ヘルプ画面６０１の終了操作が行われたと判断する。ヘルプ画面６０１の終了操作が行われたと判断した場合、マイクロコンピュータ５０は、ステップＳ１１にループする。また、ヘルプ画面６０１の終了操作が行われていないと判断した場合、マイクロコンピュータ５０は、ステップＳ２４にループし、ヘルプ画面６０１の表示を継続する。
【０１１５】
また、例えば、マイクロコンピュータ５０は、ヘルプ画面６０１の表示中にモードダイアル３３ａが操作された場合、ステップＳ２０にループし、ボタン配置図と、変更後の撮影モードに対応したパラメータＤＢとを記憶部５７から読み出し、読み出したボタン配置図及びパラメータＤＢを用いてヘルプ画面６０１を再度生成する。これにより、撮像装置１００は、ヘルプ画面６０１の表示中のモードダイアル３３ａの操作に応じてヘルプ画面６０１の内容を切り替えることができる。
【０１１６】
また、記憶部５７の第２の記憶領域５７ｂは、切替レバー３３ｑの「レバー１」の状態と「レバー２」の状態とでそれぞれ異なるパラメータＤＢを各撮影モード毎に備えていてもよい。さらに、マイクロコンピュータ５０は、ヘルプ画面６０１の表示中に切替レバー３３ｑが操作された場合、ステップＳ２０にループし、ボタン配置図と、変更後の切替レバー３３ｑの状態に対応したパラメータＤＢとを記憶部５７から読み出し、読み出したボタン配置図及びパラメータＤＢを用いてヘルプ画面６０１を再度生成する。これにより、撮像装置１００は、ヘルプ画面６０１の表示中の切替レバー３３ｑの操作に応じてヘルプ画面６０１の内容を切り替えることができる。
【０１１７】
例えば、撮像装置１００は、ヘルプ画面６０１上のインジケータ６０１ａ乃至６０１ｈに対してタッチセンサ３３ｓにより左右のフリック操作が入力された場合、インジケータに対応している操作部の割当パラメータ及びパラメータの設定値を変更する構成であってもよい。また、例えば、撮像装置１００は、ヘルプ画面６０１が表示部３２に表示されている場合の十字ボタン３３ｋ、フロントダイアル３３ｃ、及びリアダイアル３３ｄの操作に基づいて、ヘルプ画面６０１上の複数のインジケータ６０１ａ乃至６０１ｈのうちの１つを選択し、選択したインジケータに対応している操作部の割当パラメータ及びパラメータの設定値を変更する構成であってもよい。
【０１１８】
即ち、マイクロコンピュータ５０は、ヘルプ画面６０１が液晶モニタ３２ａに表示されている状態でのタッチセンサ３３ｓによる操作に応じて、ボタン配置図の角度、割当パラメータの表示状態、及び割当パラメータの設定値などを変更することができる。
【０１１９】
また、ステップＳ１１で撮影モードではないと判断した場合、マイクロコンピュータ５０は、図１０のステップＳ３１に移行する。
【０１２０】
マイクロコンピュータ５０は、撮像装置１００が再生モードであるか否か判断する（ステップＳ３１）。撮像装置１００は、再生ボタン３３ｎが押された場合、記録媒体Ｍに保存されている画像または動画を表示する再生画面を液晶モニタ３２ａに表示させる再生モードに移行する。撮像装置１００が再生モードである場合、マイクロコンピュータ５０は、画像または動画を再生する再生画面を表示部３２により再生させる（ステップＳ３２）。
【０１２１】
さらに、マイクロコンピュータ５０は、再生画面を表示部３２によりに表示させている状態で表示する画像または動画を切り替える操作が入力されたか否か判断する（ステップＳ３３）。マイクロコンピュータ５０は、画像または動画を切り替える操作が入力されたと判断した場合、表示部３２により表示させる画像または動画を切り替える（ステップＳ３４）。
【０１２２】
マイクロコンピュータ５０は、再生画面の表示の終了操作が行われたか否かを判断する（ステップＳ３５）。例えば、マイクロコンピュータ５０は、再生画面の表示中にシャッターボタン３３ｂ、ムービーボタン３３ｅ、またはＭＥＮＵボタン３３ｊなどが操作された場合、再生画面の終了操作が行われたと判断する。ヘルプ画面６０１の終了操作が行われたと判断した場合、マイクロコンピュータ５０は、図９のステップＳ１１にループする。また、再生画面の終了操作が行われていないと判断した場合、マイクロコンピュータ５０は、ステップＳ３３にループし、再生画面の表示を継続する。
【０１２３】
また、ステップＳ３１で再生モードではないと判断した場合、マイクロコンピュータ５０は、スレートＰＣ３００との通信状態であることを認識する。マイクロコンピュータ５０は、撮像装置１００内の各種のパラメータの設定状況及び各操作部に割り当てられた割当パラメータなどを確認するための状態確認要求がスレートＰＣ３００から送信されたか否か判断する（ステップＳ３６）。
【０１２４】
マイクロコンピュータ５０は、状態確認要求がスレートＰＣ３００から送信されたことを認識しなかった場合、即ち、スレートＰＣ３００から送信された状態確認要求を受信しなかった場合、スレートＰＣ３００に上記のような再生画面を表示させる為に画像または動画をスレートＰＣ３００に送信する（ステップＳ３７）。
【０１２５】
スレートＰＣ３００は、撮像装置１００から画像または動画などを受信した場合、自身の表示装置に撮像装置１００から受信した画像または動画を再生することができる。またさらに、マイクロコンピュータ５０は、スレートＰＣ３００の要求に応じて任意の画像または動画をスレートＰＣ３００に送信することができる。
【０１２６】
また、ステップＳ３６で状態確認要求がスレートＰＣ３００から送信されたことを認識した場合、即ち、スレートＰＣ３００から送信された状態確認要求を受信した場合、スレートＰＣ３００に上記のようなヘルプ画面、及び各種のパラメータの設定状況を表示させる為の各種の情報をスレートＰＣ３００に送信する（ステップＳ３８）。
【０１２７】
例えば、マイクロコンピュータ５０は、スレートＰＣ３００から出力された状態確認要求を受信した場合にボタン配置図を記憶部５７の第１の記憶領域５７ａから読み出し、パラメータＤＢを記憶部５７の第２の記憶領域５７ｂから読み出し、読み出したボタン配置図及びパラメータＤＢをスレートＰＣ３００に送信する。
【０１２８】
スレートＰＣ３００は、撮像装置１００からボタン配置図及びパラメータＤＢを受信した場合、撮像装置１００と同様の処理を行って上記のヘルプ画面６０１と同様の表示を含む状態確認画面を生成し、生成した状態確認画面を自身の表示装置に表示する。
【０１２９】
図１１は、スレートＰＣ３００の構成の例を示す。  
スレートＰＣ３００は、制御部３５０、操作入力部３６４、通信部３７１、及び記憶装置３７４を備える。さらに、スレートＰＣ３００は、カメラ３１０、スピーカ３２２、マイク３２３、ディスプレイ３３４、タッチセンサ３３５を備える。
【０１３０】
カメラ３１０は、スレートＰＣ３００の内部に設けられたカメラである。カメラ３１０は、光を受光する光学系と、光を電気信号に変換する撮像素子とを備える。カメラ３１０は、制御部３５０の制御に基づいて光学系により受光した光を撮像素子により電気信号に変換し、画像データを生成する。
【０１３１】
制御部３５０は、スレートＰＣ３００の各部の動作を制御する制御部として機能する。制御部３５０は、ＣＰＵ３５１、ＲＯＭ３５２、ＲＡＭ３５３、及び不揮発性メモリ３５４などを備えている。制御部３５０は、操作入力部３６４、またはタッチセンサ３３５から供給される操作信号に基づいて、種々の処理を行う。
【０１３２】
ＣＰＵ３５１は、種々の演算処理を実行する演算素子などを備える。ＣＰＵ３５１は、ＲＯＭ３５２、または不揮発性メモリ３５４などに記憶されているプログラムを実行することにより種々の機能を実現する。
【０１３３】
ＲＯＭ３５２は、スレートＰＣ３００を制御する為のプログラム、及び各種の機能を実現する為のプログラムなどを記憶する。ＣＰＵ３５１は、操作入力部３６４から供給される操作信号に基づいて、ＲＯＭ３５２に記憶されているプログラムを起動する。これにより、制御部３５０は、各部の動作を制御する。
【０１３４】
ＲＡＭ３５３は、ＣＰＵ３５１のワークメモリとして機能する。即ち、ＲＡＭ３５３は、ＣＰＵ３５１の演算結果、ＣＰＵ３５１により読み込まれたデータなどを記憶する。
【０１３５】
不揮発性メモリ３５４は、各種の設定情報、及びプログラムなどを記憶する不揮発性メモリである。
【０１３６】
また、ＣＰＵ３５１は、記憶装置３７４に格納されているアプリケーションなどのデータに基づいて、種々の処理を実行することができる。
【０１３７】
また、制御部３５０は、ＣＰＵ３５１が実行しているアプリケーションに応じて、種々の画面などの映像信号を生成し、ディスプレイ３３４に表示させることができる。また、制御部３５０は、ＣＰＵ３５１が実行しているアプリケーションに応じて、種々の音声などの音声信号を生成し、スピーカ３２２により出力させることができる。
【０１３８】
スピーカ３２２は、供給されるオーディオ信号に基づいて音を再生する。
【０１３９】
マイク３２３は、スレートＰＣ３００の外部の音に基づいて信号（録音信号）を生成する集音部である。マイク３２３は、録音信号を制御部３５０に供給する。
【０１４０】
ディスプレイ３３４は、例えば、マトリクス状に配列された複数の画素を備える液晶表示パネルと、この液晶パネルを照明するバックライトとを備える液晶表示装置などを備える。ディスプレイ３３４は、映像信号に基づいて映像を表示する。
【０１４１】
タッチセンサ３３５は、静電容量式センサ、サーモセンサ、または他の方式に基づいて位置情報を生成するデバイスである。例えば、タッチセンサ３３５は、ディスプレイ３３４と一体に設けられる。これにより、タッチセンサ３３５は、ディスプレイ３３４に表示されている画面上での操作に基づいて操作信号を生成し、制御部３５０に供給することができる。
【０１４２】
操作入力部３６４は、例えば、ユーザによる操作入力に応じて操作信号を生成するキーを備える。操作入力部３６４は、例えば、音量を調整する為の音量調整キー、ディスプレイ３３４の表示輝度を調整する為の輝度調整キー、及び、スレートＰＣ３００電源状態を切り替える為の電源キーなどを備える。また、操作入力部３６４は、種々の選択操作などをスレートＰＣ３００に実行させる為のトラックボールなどをさらに備えていてもよい。操作入力部３６４は、上記したキーの操作に応じて操作信号を生成し、操作信号を制御部３５０に供給する。
【０１４３】
また、操作入力部３６４は、キーボード、マウス、または操作信号を生成する事ができる他の入力装置などから操作信号を受け取る構成であってもよい。例えば、スレートＰＣ３００がＵＳＢ端子、またはＢｌｕｅｔｏｏｔｈのモジュールなどを備えている場合、操作入力部３６４は、ＵＳＢ、またはＢｌｕｅｔｏｏｔｈにより接続された入力装置から操作信号を受け取り、制御部３５０に供給する。
【０１４４】
通信部３７１は、無線ＬＡＮによりインターネット、またはイントラネットなどのネットワーク上の他の機器と通信を行なうことができる。また、通信部３７１は、他の機器と直接無線ＬＡＮにより通信する構成であってもよい。
【０１４５】
また、スレートＰＣ３００は、図示しない電源部を備える。電源部は、バッテリーと、商用電源などから電力を受け取るアダプタと接続する為の端子（例えばＤＣジャック）と、を備える。電源部は、商用電源から受け取った電力をバッテリーに充電する。また、電源部は、バッテリーに充電されている電力をスレートＰＣ３００内の各部へ供給する。
【０１４６】
記憶装置３７４は、ハードディスクドライブ（ＨＤＤ）、ソリッドステイトドライブ（ＳＳＤ）、または半導体メモリなどを備える。記憶装置３７４は、制御部３５０のＣＰＵ３５１により実行されるプログラム、アプリケーション、及び種々のデータなどを記憶することができる。
【０１４７】
記憶装置３７４は、例えば、オペレーティングシステム（ＯＳ）、及びＯＳ上で実行可能な種々のアプリケーションを記憶している。記憶装置３７４は、例えば、スレートＰＣ３００と通信可能な機器（例えば撮像装置１００）をコントロールするためのアプリケーション（コントロールアプリ）を有する。スレートＰＣ３００の制御部３５０は、コントロールアプリを実行することにより、撮像装置１００による撮影、撮像装置１００内の記憶媒体Ｍに保存されている画像及び動画の再生、及び撮像装置１００で設定されている各種のパラメータなどを確認する為の状態確認画面の生成などの処理を実行することができる。
【０１４８】
図１２乃至図１４は、スレートＰＣ３００の動作の例を示す。図１２は、スレートＰＣが状態確認画面を生成する際にスレートＰＣ３００に表示される画面の例を示す。図１３は、スレートＰＣ３００が状態確認画面を生成する際のスレートＰＣ３００の動作の例を示すフローチャートである。図１４は、スレートＰＣ３００が状態確認画面を生成する際の撮像装置１００の動作の例を示すフローチャートである。
【０１４９】
スレートＰＣ３００の制御部３５０は、ディスプレイ３３４に表示させるホーム画面１２０１に種々のアプリケーションを起動する為のアイコンを表示させる。ホーム画面で撮像装置１００を制御する為の上記のコントロールアプリが選択された場合、制御部３５０は、外部カメラ制御用のコントロールアプリのメニュー画面１２０２をディスプレイ３３４に表示させる。制御部３５０は、メニュー画面１２０２に撮影ボタン１２０２ａ、再生ボタン１２０２ｂ、状態確認ボタン１２０２ｃ、終了ボタン１２０２ｄ、及び設定ボタン１２０２ｅなどのボタンをタッチセンサ３３５により選択可能な状態で表示する。
【０１５０】
撮影ボタン１２０２ａは、撮像装置１００に撮影を実行させる為の画面をディスプレイに表示させる為のボタンである。再生ボタン１２０２ｂは、撮像装置１００内の記憶媒体Ｍに保存されている画像または動画をスレートＰＣ３００で再生する為のボタンである。状態確認ボタン１２０２ｃは、撮像装置１００の各種のパラメータの設定状態、及び上記のヘルプ画面６０１と同様に各操作部に割り当てられたパラメータをユーザに確認させるための状態確認画面をディスプレイ３３４に表示させる為のボタンである。終了ボタン１２０２ｄは、コントロールアプリを終了させる為のボタンである。設定ボタン１２０２ｅは、コントロールアプリの各種の設定を実行する為のボタンである。
【０１５１】
メニュー画面１２０２で状態確認ボタン１２０２ｃが選択された場合、スレートＰＣ３００の制御部３５０は、図１３に示された動作を実行する。
【０１５２】
制御部３５０は、状態確認要求を生成する（ステップＳ４１）。状態確認要求は、状態確認画面を生成する為の情報を撮像装置１００に要求する為の情報である。制御部３５０は、生成した状態確認要求を撮像装置１００に対して送信する（ステップＳ４２）。
【０１５３】
制御部３５０は、パラメータＤＢ及びボタン配置図を受信したか否か判断する（ステップＳ４３）。パラメータＤＢ及びボタン配置図を受信していないと判断した場合（ステップＳ４３、ＮＯ）、制御部３５０は、再度ステップＳ４３の処理を行う。即ち、制御部３５０は、状態確認要求を送信した後、撮像装置１００から送信されたパラメータＤＢ及びボタン配置図を受信するまで待機する。
【０１５４】
パラメータＤＢ及びボタン配置図を受信したと判断した場合（ステップＳ４３、ＹＥＳ）、制御部３５０は、受信したパラメータＤＢ及びボタン配置図に基づいて、図１２に示される状態確認画面１２０３を生成する（ステップＳ４４）。制御部３５０は、生成した状態確認画面１２０３をディスプレイ３３４に表示する（ステップＳ４５）。
【０１５５】
スレートＰＣ３００から状態確認要求が送信された場合、撮像装置１００のマイクロコンピュータ５０は、図１４に示された動作を実行する。マイクロコンピュータ５０は、スレートＰＣ３００から送信された状態確認要求を受信する（ステップＳ４６）。
【０１５６】
スレートＰＣ３００から送信された状態確認要求を受信した場合、マイクロコンピュータ５０は、ボタン配置図を記憶部５７の第１の記憶領域５７ａから読み出し（ステップＳ４７）、パラメータＤＢを記憶部５７の第２の記憶領域５７ｂから読み出す（ステップＳ４８）。
【０１５７】
マイクロコンピュータ５０は、パラメータＤＢ及びボタン配置図をスレートＰＣ３００に対して送信する（ステップＳ４９）。
【０１５８】
状態確認画面１２０３は、撮像装置１００で設定されている各種のパラメータをユーザに確認させる為のインジケータ１２０３ａと、撮像装置１００の各操作部に割り当てられた割当パラメータ及び各操作部に割当が可能な割当可能パラメータを示すヘルプ画面１２０３ｂと、状態確認画面１２０３の表示を終了させる為の終了ボタン１２０３ｃとを含む。
【０１５９】
例えば、スレートＰＣ３００の制御部３５０は、ヘルプ画面６０１と同様に、ヘルプ画面１２０３ｂ上の各操作部に対応したインジケータに対するタッチ操作に基づいて、撮像装置１００のパラメータを変更する構成であってもよい。この場合、制御部３５０は、タッチ操作に基づいて、撮像装置１００のパラメータを変更する為の制御信号を生成し、生成した制御信号を撮像装置１００に対して送信する。これにより、スレートＰＣ３００は、撮像装置１００の各種のパラメータをユーザに確認させ、且つ各種のパラメータをスレートＰＣ上の操作に基づいて変更させることができる。
【０１６０】
上記のような構成によると、撮像装置１００は、各操作部に割り当てられている割当パラメータ及び各操作部により割り当てが可能な割当可能パラメータを、ボタン配置図に対応付けた状態で表示させることができる。これにより、種々のパラメータを変更する為の機能を任意で割り当てることができる複数の操作部を複数備える撮像装置１００において、どの操作部にどのパラメータが割り当てられているかを１つの画面上でユーザに認識させることができる。例えば、使用頻度が低い機能が存在する場合、使い慣れた機能の割当が変更された場合、または複数の操作部に割り当てられた機能が変更された場合であっても、撮像装置１００は、操作部に割り当てられている機能を１つの画面上でユーザに認識させることができる。これにより、操作部に割り当てられている機能をユーザが十分に認識できていない場合であっても、操作部に割り当てられている機能をユーザが容易に確認することができる。この結果、ユーザが意図した通りに撮像装置を瞬時に操作することが容易になり、利便性を損なうことを防ぐことができる。
【０１６１】
またさらに、スレートＰＣ３００は、撮像装置１００の各操作部に割り当てられている割当パラメータ及び各操作部により割り当てが可能な割当可能パラメータを、ボタン配置図に対応付けた状態で表示させることができる。これにより、スレートＰＣ３００は、撮像装置１００の操作部にどのパラメータが割り当てられているかを１つの画面上でユーザに認識させることができる。
【０１６２】
この結果、複数の操作部に対する機能を変更しても利便性を損なうことのない撮像装置、撮像装置の制御方法、及び撮像システムを提供することができる。
【０１６３】
なお、図１３及び図１４では、撮像装置１００がパラメータＤＢ及びボタン配置図をスレートＰＣ３００に送信し、スレートＰＣ３００がパラメータＤＢ及びボタン配置図に基づいてヘルプ画面を生成する場合の撮像装置１００及びスレートＰＣ３００の動作の例を示した。しかし、撮像装置１００は、スレートＰＣ３００から状態確認要求を受信した場合にパラメータＤＢ及びボタン配置図に基づいてヘルプ画面を生成し、生成したヘルプ画面をスレートＰＣ３００に送信する構成であってもよい。この場合、スレートＰＣ３００は、撮像装置１００に状態確認要求を送信し、そのレスポンスとしてヘルプ画面を受信し、受信したヘルプ画面をディスプレイ３３４に表示する。
【０１６４】
なお、上記の例では、撮像装置１００は、ヘルプ画面６０１にフロントダイアル３３ｃ、リアダイアル３３ｄ、第１のファンクションボタン３３ｆ、第２のファンクションボタン３３ｇ、第３のファンクションボタン３３ｈ、及び第４のファンクションボタン３３ｉの割当パラメータ及び割当可能パラメータを表示させる構成であると説明したが、この構成に限定されない。ヘルプ画面６０１に表示させる割当パラメータ及び割当可能パラメータは、どの操作部に対応するものであってもよい。また、例えば、撮影モードによってヘルプ画面６０１に表示させる割当パラメータ及び割当可能パラメータをさらに絞り込んでもよい。
【０１６５】
またさらに、撮像装置１００は、モードダイアル３３ａを切り替える為のモータを備えていてもよい。この場合、撮像装置１００は、ヘルプ画面６０１上での操作に基づいて撮影モードを変更することができる。即ち、撮像装置１００は、ヘルプ画面６０１上で撮影モードを変更する操作が入力された場合、上記のモータを駆動してモードダイアル３３ａを回転させて撮影モードを変更することができる。
【０１６６】
（第２の実施形態）  
図１５乃至図１７は、スレートＰＣ３００と連携して動作するレンズ型撮像装置５００の例を示す。図１５は、撮像装置５００の制御系の例を示す。図１６及び図１７は、撮像装置５００の外観の例を示す。
【０１６７】
レンズ型撮像装置５００は、例えば、タブレットＰＣ、スマートフォン、またはスレート状の表示装置にキーボードなどの入力装置が組み合わされたＰＣなどのスレートＰＣ３００から種々の制御信号を受け取り、受け取った制御信号に基づいて撮像処理を行い、記憶媒体Ｍに画像または動画などを保存することができる。さらに、レンズ型撮像装置５００は、記憶媒体Ｍに保存されている画像または動画などをスレートＰＣに送信して表示させることができる。さらに、レンズ型撮像装置５００は、スルー画を取得して逐次スレートＰＣ３００に送信して表示させることができる。
【０１６８】
レンズ型撮像装置５００は、レンズを通過した被写体像を撮像素子によって画像として取得する。撮像装置１００は、シャッターボタンが全押し操作された場合に画像を記憶媒体に保存することができる。
【０１６９】
レンズ型撮像装置５００は、レンズ５１０、撮像素子５２０、信号処理部５３０、画像処理部５４０、マイクロコンピュータ５５０、記憶部５５５、集音部５６０、操作部５７０、メモリインターフェース（Ｉ／Ｆ）５８０、及び通信部５９０を備える。
【０１７０】
信号処理部５３０、画像処理部５４０、マイクロコンピュータ５５０、集音部５６０、操作部５７０、メモリインターフェース（Ｉ／Ｆ）５８０、及び通信部５９０は、データバス８０を介して互いに接続されている。
【０１７１】
また、レンズ型撮像装置５００は、レンズ５１０の代わりに交換レンズを装着可能なマウントを備える構成であってもよい。この場合、マウントには接触端子が設けられる。レンズ型撮像装置５００は、この接触端子によりマウントに装着された交換レンズと通信を行うことができる。これにより、レンズ型撮像装置５００は、交換レンズから焦点距離、絞り値、交換レンズのレンズ外観図、及びパラメータＤＢなどの交換レンズに関する種々のレンズ情報を交換レンズから取得することができる。
【０１７２】
レンズ５１０は、光を受光し、受光した光を撮像素子５２０に結像させる。レンズ５１０は、複数のレンズが組み合わされた光学系、ＣＰＵ、及びＲＯＭなどを備える。
【０１７３】
撮像素子５２０は、撮像素子１７と同様の構成であり、レンズ５１０を通った被写体像を光電変換する。
【０１７４】
信号処理部５３０は、信号処理部１８及びＡ／Ｄ１９と同様の構成であり、撮像素子５２０から出力された信号に対して信号処理を施し、信号を量子化して画像データを取得する。
【０１７５】
画像処理部５４０は、マイクロコンピュータ５５０の制御に基づいて画像データに対して、色補正、ガンマ(γ)補正、コントラスト補正、白黒・カラーモード処理、及びライブビュー画像処理などの各種の画像処理を行う。さらに、画像処理部５４０は、画像データを用いて、露出制御等に用いる被写体輝度情報を取得する。レンズ型撮像装置５００は、被写体輝度情報に基づいて露出値に応じたＩＳＯ、絞り値、及びシャッター速度の制御を行う。
【０１７６】
また、画像処理部５４０は、画像データをＪｐｅｇ方式で圧縮し、Ｊｐｅｇ方式の画像データ（Ｊｐｅｇデータ）を生成する。画像処理部５４０は、マイクロコンピュータ５５０の制御に基づいてＪｐｅｇデータをメモリＩ／Ｆ５８０に装着された記録媒体Ｍに出力する。これにより、レンズ型撮像装置５００は、撮像された画像のＪｐｅｇデータを記録媒体Ｍに保存することができる。
【０１７７】
マイクロコンピュータ５５０は、レンズ型撮像装置５００の各種の動作を制御する制御部である。マイクロコンピュータ５５０は、例えばＣＰＵ及びキャッシュメモリなどを備える。記憶部５５５は、レンズ型撮像装置５００を制御する為のプログラム、各種の機能を実現する為のプログラム、及び各種の設定情報などを記憶する。ＣＰＵは、種々の演算処理を実行する演算素子である。キャッシュメモリは、ＣＰＵによる演算の結果、ＣＰＵにより読み込まれたデータなどを一時的に記憶する。マイクロコンピュータ５５０は、操作部５７０から供給された操作信号に基づいて、記憶部５５５に記憶されているプログラムを実行し、レンズ型撮像装置５００の各部の動作を制御する。
【０１７８】
集音部５６０は、動画の撮影時に音声を取得する為のステレオマイクを備える。集音部５６０は、ステレオマイクによりステレオの音声を取得することができる。また、集音部５６０は、ステレオマイクによりモノラルの音声を取得することもできる。
【０１７９】
操作部５７０は、レンズ型撮像装置５００のユーザによる操作を受け付ける操作ボタン及び操作リングなどを含む。図１６及び図１７に示されるように、操作部５７０は、シャッターボタン５７０ａ、第１の操作リング５７０ｂ、及び第２の操作リング５７０ｃを備える。第１の操作リング５７０ｂ及び第２の操作リング５７０ｃには、それぞれ合焦距離、焦点距離、及び絞り値などの撮像の為のパラメータをそれぞれ割り当てることができる。さらに、操作部５７０は、レンズ型撮像装置５００の電源状態をＯＮとＯＦＦとで切り替える電源スイッチを備えていてもよい。
【０１８０】
シャッターボタン５７０ａは、レンズ型撮像装置５００にレリーズ動作及びオートフォーカス（ＡＦ）動作を行わせるためのボタンである。例えばシャッターボタン５７０ａが半押しされた場合、レンズ型撮像装置５００は、オートフォーカス動作を行う。即ち、レンズ型撮像装置５００は、ＡＦエリア内での対象物で合焦するようにレンズ５１０に制御信号を出力する。
【０１８１】
また、例えばシャッターボタン５７０ａが全押しされた場合、レンズ型撮像装置５００は、撮影を実行する。即ち、レンズ型撮像装置５００は、設定情報に基づいて撮像素子５２０により電荷を生成し、生成された電荷に応じて信号処理部５３０により画像データを生成し、画像データを画像処理部５４０により画像処理を行ってＪｐｅｇデータに変換し、ＪｐｅｇデータをメモリＩ／Ｆ５８０に装着されている記録媒体Ｍに保存する。また、レンズ型撮像装置５００は、例えばＪｐｅｇデータと信号処理部５３０により変換された画像データとの両方をメモリＩ／Ｆ５８０に装着されている記録媒体Ｍに保存する構成であってもよい。
【０１８２】
レンズ５１０の光学系は、例えば、フォーカシング用のレンズ、ズーミング用のレンズ、及び絞り羽根などを含む。レンズ５１０は、マイクロコンピュータ５５０の制御に基づいて、光学系の合焦用のレンズを駆動する。また、レンズ５１０は、第１の操作リング５７０ｂまたは第２の操作リング５７０ｃに合焦距離が割り当てられている場合、第１の操作リング５７０ｂまたは第２の操作リング５７０ｃの操作に応じてフォーカシング用のレンズを駆動して合焦距離を変更することができる。
【０１８３】
また、レンズ５１０は、第１の操作リング５７０ｂまたは第２の操作リング５７０ｃに焦点距離が割り当てられている場合、レンズ５１０は、第１の操作リング５７０ｂまたは第２の操作リング５７０ｃの操作に応じてズーミング用のレンズを駆動し、焦点距離を変更することができる。
【０１８４】
また、レンズ５１０は、第１の操作リング５７０ｂまたは第２の操作リング５７０ｃに絞り値が割り当てられている場合、レンズ５１０は、第１の操作リング５７０ｂまたは第２の操作リング５７０ｃの操作に応じて絞り羽根を駆動して絞り値を変更することができる。
【０１８５】
また、レンズ５１０は、通信部５９０を経由してスレートＰＣ３００から受信した制御信号に基づいて、ズーミング、フォーカシング、及び絞り値の変更を行う構成であってもよい。
【０１８６】
メモリＩ／Ｆ５８０は、記録媒体Ｍとレンズ型撮像装置５００の各部との間でのデータの入出力を制御する。メモリＩ／Ｆ５８０は、記録媒体Ｍを挿入可能なカードスロットなどを備える。記録媒体Ｍは、複数の接触端子を備える。また、メモリＩ／Ｆ５８０は、記録媒体Ｍがカードスロットに挿入された場合に記録媒体Ｍの接触端子と電気的に接続される接触端子を備える。これにより、レンズ型撮像装置５００は、記録媒体Ｍにデータを保存することと、記録媒体Ｍからデータを読み出すこととを実行することができる。
【０１８７】
通信部５９０は、スレートＰＣ３００と種々のデータ通信を行う為のモジュールである。通信部５９０は、例えば、無線ＬＡＮ、またはＢｌｕｅｔｏｏｔｈ等によりスレートＰＣ３００と通信を行うことができる。また、スレートＰＣ３００が例えばイントラネット等のネットワークに接続されている場合、通信部５９０は、無線ＬＡＮによりネットワークを経由してスレートＰＣ３００と通信する構成であってもよい。レンズ型撮像装置５００は、通信部５９０によりスレートＰＣ３００または他の種々の機器と通信することができる。
【０１８８】
また、記憶部５５５は、第１の記憶領域５５５ａと第２の記憶領域５５５ｂとを具備する。第１の記憶領域５５５ａは、レンズ型撮像装置５００の外観上での各種のボタン及び操作リングの位置を示す図（レンズ外観図）を予め記憶する。なお、第１の記憶領域５５５ａは、レンズ型撮像装置５００を複数の角度から見た場合の複数のボタン配置図を予め記憶する。第２の記憶領域５７ｂは、各種のパラメータ名毎に、操作の有無（操作有無）、対応している操作部（対応操作部）、レンズ外観図上での位置（操作部位置）を示す情報が対応付けられたパラメータデータベース（パラメータＤＢ）を記憶する。
【０１８９】
上記のようなレンズ型撮像装置５００は、例えば、スレートＰＣ３００に装着されて使用されることが想定される。図１６及び図１７により示されるように、スレートＰＣ３００には、取り付け器具３０１を介してレンズ型撮像装置５００が取り付けられる。取り付け器具３０１は、鉤型に形成され、その取付け平板３０２に凸状のレンズ取付け部３０３が設けられている。レンズ型撮像装置５００は、レンズ取付け部３０３に対する係止により取り付けられる。
【０１９０】
レンズ型撮像装置５００は、スレートＰＣ３００との間で通信が確立された場合、取得したスルー画をスレートＰＣ３００に逐次送信し、スルー画をスレートＰＣ３００のディスプレイ３３４に表示させることができる。
【０１９１】
さらに、レンズ型撮像装置５００は、スレートＰＣ３００からの要求に応じてレンズ外観図及びパラメータＤＢをスレートＰＣ３００に送信する。これにより、レンズ型撮像装置５００は、レンズ型撮像装置５００の操作部５７０の各部に割り当てられている割当パラメータをユーザに認識させる為のヘルプ画面をスレートＰＣ３００により生成させ、スレートＰＣ３００のディスプレイ３３４に表示させることができる。
【０１９２】
図１８及び図１９は、レンズ型撮像装置５００及びレンズ型撮像装置５００を制御するスレートＰＣ３００の動作の例を示すフローチャートである。図１８は、レンズ型撮像装置５００の動作の例を示す。図１９は、レンズ型撮像装置５００を制御するスレートＰＣ３００の動作の例を示す。
【０１９３】
レンズ型撮像装置５００は、電源がＯＮである場合、スレートＰＣ３００との間でのデータ通信が確立されるのを待つ。データ通信は、スレートＰＣ３００とレンズ型撮像装置５００との間で所定のプロトコルが行われることにより確立する。
【０１９４】
レンズ型撮像装置５００のマイクロコンピュータ５５０は、モード通信を行う（ステップＳ５１）。マイクロコンピュータ５５０は、例えば撮影モード、再生モード、及び確認通信モードなどのモードを有する。マイクロコンピュータ５５０は、スレートＰＣ３００の制御に基づいてどのモードが指示されているかを認識し、認識したモードに切り替えて動作する。
【０１９５】
マイクロコンピュータ５５０は、撮影モードがスレートＰＣ３００により指示されているか否か判断する（ステップＳ５２）。撮影モードが指示されていると判断した場合、マイクロコンピュータ５５０は、レンズ５１０を駆動して受光した光を撮像素子５２０に結像させる。マイクロコンピュータ５５０は、結像された光から撮像素子５２０、信号処理部５３０、及び画像処理部５４０に基づいてスルー画を取得する。マイクロコンピュータ５５０は、取得したスルー画をスレートＰＣ３００に逐次送信する（ステップＳ５３）。
【０１９６】
さらに、マイクロコンピュータ５５０は、撮影操作があるか否か判断する（ステップＳ５４）。マイクロコンピュータ５５０は、シャッターボタン５７０ａが操作された、またはスレートＰＣ３００から撮像を指示する制御信号を受け取った場合、撮影操作があったと判断する。
【０１９７】
撮影操作があったと判断した場合、マイクロコンピュータ５５０は、撮影を実行し、ステップＳ５１の処理にループする（ステップＳ５５）。即ち、マイクロコンピュータ５５０は、設定情報に基づいて撮像素子５２０により電荷を生成し、生成された電荷に応じて信号処理部５３０及び画像処理部５４０により画像データを生成する。さらに、マイクロコンピュータ５５０は、生成された画像データをメモリＩ／Ｆ５８０に装着されている記録媒体Ｍに保存し、ステップＳ１１の処理に戻る。
【０１９８】
また、マイクロコンピュータ５５０は、再生モードがスレートＰＣ３００により指示されているか否か判断する（ステップＳ５６）。再生モードが指示されていると判断した場合、マイクロコンピュータ５５０は、スレートＰＣ３００により指定された画像または動画をスレートＰＣ３００に送信する（ステップＳ５７）。
【０１９９】
さらに、マイクロコンピュータ５５０は、確認通信モードがスレートＰＣ３００により指示されているか否か判断する（ステップＳ５８）。確認通信モードが指示されていると判断した場合、マイクロコンピュータ５５０は、スレートＰＣ３００から受け取る制御信号に基づいてスレートＰＣ３００上の表示を変更する必要があるか否か判断する（ステップＳ５９）。例えば、スレートＰＣ３００上でレンズ外観図の変更、パラメータの変更、または他の表示の変更を必要とする操作が行われた場合、マイクロコンピュータ５５０は、表示を変更する必要があると判断する。また、マイクロコンピュータ５５０は、操作部５７０の操作により撮像の為のパラメータが変更された場合も、スレートＰＣ３００上での表示の変更が必要であると判断する。例えば、最初にスレートＰＣ３００でヘルプ画面を開く操作が入力された場合も、マイクロコンピュータ５５０は、表示を変更する必要があると判断する。
【０２００】
スレートＰＣ３００上での表示の変更が必要であると判断した場合、マイクロコンピュータ５５０は、ヘルプ画面を生成し、スレートＰＣ３００に送信する。この為に、マイクロコンピュータ５５０は、レンズ外観図を記憶部５５５の第１の記憶領域５５５ａから読み出す（ステップＳ６０）。
【０２０１】
さらに、マイクロコンピュータ５５０は、パラメータＤＢを記憶部５５５の第２の記憶領域５５５ｂから読み出す（ステップＳ６１）。
【０２０２】
マイクロコンピュータ５５０は、読み出したレンズ外観図及びパラメータＤＢに基づいて、ヘルプ画面を生成する（ステップＳ６２）。例えば、マイクロコンピュータ５５０は、ヘルプ画面６０１と同様に、レンズ外観図上の操作部５７０の各部に対応する位置に割り当てられた割当パラメータ、及び割当可能パラメータなどを表示させたヘルプ画面を生成する。
【０２０３】
マイクロコンピュータ５５０は、生成したヘルプ画面を通信部５９０を介してスレートＰＣ３００に送信する（ステップＳ６３）。これにより、スレートＰＣ３００は、レンズ型撮像装置５００の各部の割当パラメータと、割当可能パラメータとを一度にユーザに確認させることができるヘルプ画面をディスプレイ３３４に表示させることができる。
【０２０４】
また、マイクロコンピュータ５５０は、割当パラメータまたはパラメータの設定値を変更する操作が入力されたか否か判断する（ステップＳ６４）。割当パラメータまたはパラメータの設定値を変更する操作が入力されたと判断した場合、マイクロコンピュータ５５０は、割当パラメータまたはパラメータの設定値を変更し、ステップＳ５１にループする（ステップＳ６５）。
【０２０５】
図１９は、レンズ型撮像装置５００の図１８により示された動作に対応して動作するスレートＰＣ３００の動作の例を示す。
【０２０６】
スレートＰＣ３００の制御部３５０は、レンズ型撮像装置５００を制御する為のアプリケーション（レンズ型撮像装置５００に対応したコントロールアプリ）を起動する為のアイコンを表示したホーム画面をディスプレイ３３４に表示させる（ステップＳ７１）。  
ホーム画面でレンズ型撮像装置５００を制御する為のコントロールアプリが選択された場合（ステップＳ７２）、制御部３５０は、コントロールアプリのメニュー画面をディスプレイ３３４に表示させる。制御部３５０は、メニュー画面上での操作に応じて、撮影モード、再生モード、及びレンズ型撮像装置５００の状態を確認する確認通信モードのうちのいずれかを選択する。さらに、制御部３５０は、通信部３７１を介して選択されたモードをレンズ型撮像装置５００に認識させる為のモード通信制御を行う（ステップＳ７３）。
【０２０７】
制御部３５０は、レンズ型撮像装置５００との間で通信が正常に行われたか否か判断する（ステップＳ７４）。レンズ型撮像装置５００との間で通信が正常に行われていないと判断した場合、通信ＮＧ処理を行う（ステップＳ７５）。この場合、制御部３５０は、例えばレンズ型撮像装置５００との間で通信不良が発生したことを示すアラートをディスプレイ３３４に表示させ、ステップＳ７３にループする。
【０２０８】
また、ステップＳ７４でレンズ型撮像装置５００との間で通信が正常に行われたと判断した場合、制御部３５０は、レンズ型撮像装置５００に撮影モードを指示したか否か判断する（ステップＳ７６）。レンズ型撮像装置５００に撮影モードを指示したと判断した場合、制御部３５０は、レンズ型撮像装置５００からスルー画を受信し、受信したスルー画をディスプレイ３３４に表示する（ステップＳ７７）。
【０２０９】
さらに、制御部３５０は、撮影操作が入力されたか否か判断する（ステップＳ７９）。例えば、制御部３５０は、レンズ型撮像装置５００が撮影モードである場合、ディスプレイ３３４にレンズ型撮像装置５００に撮影を実行させる為の撮影ボタンを表示する。この撮影ボタンが操作された場合、撮影操作が入力されたと判断する。また、制御部３５０は、レンズ型撮像装置５００のシャッターボタン５７０ａが操作された場合、撮影操作が入力されたと判断する。
【０２１０】
撮影操作が入力されたと判断した場合、制御部３５０は、レンズ型撮像装置５００に撮影を指示する為の制御信号を生成し、生成した制御信号をレンズ型撮像装置５００に送信し、ステップＳ７３の処理にループする（ステップＳ７９）。
【０２１１】
また、ステップＳ７６でレンズ型撮像装置５００に撮影モードを指示していないと判断した場合、制御部３５０は、レンズ型撮像装置５００に再生モードを指示したか否か判断する（ステップＳ８０）。
【０２１２】
レンズ型撮像装置５００に再生モードを指示したと判断した場合、制御部３５０は、再生画像または再生動画を指定する（ステップＳ８１）。例えば、制御部３５０は、レンズ型撮像装置５００に装着されている記憶媒体Ｍに保存されている画像及び動画のリスト（例えばサムネイル）を取得する。制御部３５０は、取得したリストの中から再生画像、または再生画像または再生動画を操作に応じて指定する。
【０２１３】
レンズ型撮像装置５００は、上記のように図１８のステップＳ５７でスレートＰＣ３００により指示された画像または動画をスレートＰＣ３００に送信する。制御部３５０は、再生画像、または再生動画を受信したか否か判断する（ステップＳ８２）。制御部３５０は、再生画像または再生動画を受信したと判断した場合、受信した再生画像または再生動画をディスプレイ３３４に表示し、ステップＳ７３の処理にループする（ステップＳ８３）。
【０２１４】
また、制御部３５０は、ステップＳ８２で再生画像または再生動画を受信していないと判断した場合、通信ＮＧ処理を行う（ステップＳ８４）。この場合、制御部３５０は、例えばレンズ型撮像装置５００との間で通信不良が発生したことを示すアラートをディスプレイ３３４に表示させ、ステップＳ７３にループする。
【０２１５】
また、ステップＳ８０でレンズ型撮像装置５００に再生モードを指示していないと判断した場合、制御部３５０は、レンズ型撮像装置５００に確認通信モードを指示したか否か判断する（ステップＳ８５）。
【０２１６】
レンズ型撮像装置５００に確認通信モードを指示したと判断した場合、制御部３５０は、確認通信を実行する（ステップＳ８６）。この場合、制御部３５０は、確認通信に関する制御信号をレンズ型撮像装置５００に送信する。例えば、最初にレンズ型撮像装置５００の各操作部に割り当てられたパラメータを確認する為のヘルプ画面を開く場合、制御部３５０は、レンズ型撮像装置５００にヘルプ画面を要求する。また、制御部３５０は、既にヘルプ画面をディスプレイ３３４に開いている場合、ヘルプ画面上の表示を変更する必要があるか否か判断する。ヘルプ画面上の表示を変更する必要があると判断した場合、制御部３５０は、レンズ型撮像装置５００に新たなヘルプ画面を要求する。
【０２１７】
レンズ型撮像装置５００は、上記のように図１８のステップＳ６０乃至６３でスレートＰＣ３００により要求されたヘルプ画面を生成し、生成したヘルプ画面をスレートＰＣ３００に送信する。制御部３５０は、ヘルプ画面の画像を受信したか否か判断する（ステップＳ８７）。制御部３５０は、ヘルプ画面の画像を受信したと判断した場合、受信した画像に基づいてヘルプ画面をディスプレイ３３４に表示し、ステップＳ７３の処理にループする（ステップＳ８８）。
【０２１８】
また、制御部３５０は、ステップＳ８７でヘルプ画面の画像を受信していないと判断した場合、通信ＮＧ処理を行う（ステップＳ８９）。この場合、制御部３５０は、例えばレンズ型撮像装置５００との間で通信不良が発生したことを示すアラートをディスプレイ３３４に表示させ、ステップＳ７３にループする。
【０２１９】
上記したように、レンズ型撮像装置５００は、各操作部に割り当てられている割当パラメータ及び各操作部により割り当てが可能な割当可能パラメータを、レンズ外観図に対応付けた状態でヘルプ画面を生成し、生成したヘルプ画面を制御側の機器であるスレートＰＣ３００に表示させることができる。これにより、種々のパラメータを変更する為の機能を任意で割り当てることができる複数の操作部を複数備えるレンズ型撮像装置５００において、どの操作部にどのパラメータが割り当てられているかを１つの画面上でユーザに認識させることができる。
【０２２０】
この結果、より利便性の高い撮像装置、撮像装置の制御方法、及び撮像システムを提供することができる。
【０２２１】
なお、上記の実施形態では、撮像装置１００の記憶部５７がボタン配置図を有し、レンズ２００のＲＯＭ２００ｃがレンズ外観図を有する構成であると説明したが、この構成に限定されない。ボタン配置図及びレンズ外観図をスレートＰＣ３００が備える構成であってもよい。また、例えば、撮像装置１００またはレンズ型撮像装置５００をコントロールするためのアプリケーション（コントロールアプリ）がボタン配置図及びレンズ外観図を備える構成であってもよい。この場合、スレートＰＣ３００は、コントロールアプリを例えばサーバ上などからダウンロードした際にボタン配置図及びレンズ外観図を取得することができる。またさらに、スレートＰＣ３００は、撮像装置１００と初期設定の為の通信を行う際に撮像装置１００からボタン配置図及びレンズ外観図を取得する構成であってもよい。
【０２２２】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０２２３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図１】
2016038913.tif 000003
【図２】
2016038913.tif 000004
【図３】
2016038913.tif 000005
【図４】
2016038913.tif 000006
【図５】
2016038913.tif 000007
【図６】
2016038913.tif 000008
【図７】
2016038913.tif 000009
【図８】
2016038913.tif 000010
【図９】
2016038913.tif 000011
【図１０】
2016038913.tif 000012
【図１１】
2016038913.tif 000013
【図１２】
2016038913.tif 000014
【図１３】
2016038913.tif 000015
【図１４】
2016038913.tif 000016
【図１５】
2016038913.tif 000017
【図１６】
2016038913.tif 000018
【図１７】
2016038913.tif 000019
【図１８】
2016038913.tif 000020
【図１９】
2016038913.tif 000021
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
撮像の為の複数のパラメータが割当パラメータとしてそれぞれ割り当てられた複数の操作部と、
前記各操作部の操作に基づいて割当パラメータの設定値を制御するパラメータ制御部と、
前記複数の操作部の位置を示す操作部配置図上に、前記割当パラメータ毎に割り当てられている前記操作部を示すパラメータデータベースに基づいて前記各操作部に対応した割当パラメータを表示させてヘルプ画面を生成する画面生成部と、
前記操作部配置図の表示状態を変更するか否か判断する表示変更判断部と、
を具備し、
前記画面生成部は、異なる角度から描写された複数の前記操作部配置図が存在し、且つ前記表示変更判断部によって前記表示状態を変更すると判断された場合、前記操作部配置図の角度を変更する撮像装置。
【請求項２】
前記画面生成部は、異なる角度から描写された複数の前記操作部配置図が存在し、且つ前記表示変更判断部によって前記表示状態を変更すると判断された場合、前記操作部配置図を回転させる請求項１に記載の撮像装置。
【請求項３】
前記パラメータデータベースは、前記割当パラメータ毎にパラメータ名と、前記割当パラメータが割り当てられている前記操作部と、この操作部が示されている前記操作部配置図と、この操作部の前記操作部配置図上での位置を示す操作部位置と、をそれぞれ示す情報を対応付けて保持し、
前記画面生成部は、前記パラメータデータベースにより示された前記操作部配置図上の前記操作部位置により示された位置に、前記パラメータ名を表示させる請求項１に記載の撮像装置。
【請求項４】
前記画面生成部は、前記操作部配置図上の前記操作部に関連付けて前記操作部に割り当てが可能な割当可能パラメータを前記ヘルプ画面にさらに表示させる請求項１に記載の撮像装置。
【請求項５】
前記ヘルプ画面を表示する表示装置と、
前記表示装置に対するタッチ操作を検出するタッチセンサと、
をさらに具備し、
前記前記表示変更判断部は、前記ヘルプ画面が前記表示装置に表示されている状態での前記タッチセンサによる操作に応じて、前記表示状態を変更するか否か判断する請求項１に記載の撮像装置。
【請求項６】
撮像の為の複数のパラメータが割当パラメータとしてそれぞれ割り当てられた複数の操作部と、
前記各操作部の操作に基づいて割当パラメータの設定値を制御するパラメータ制御部と、
前記複数の操作部の位置を示す操作部配置図上に、前記割当パラメータ毎に割り当てられている前記操作部を示すパラメータデータベースに基づいて前記各操作部に対応した割当パラメータを表示させてヘルプ画面を生成する画面生成部と、
前記ヘルプ画面を表示する表示装置と、
前記表示装置に対するタッチ操作を検出するタッチセンサと、
を具備し、
前記パラメータ制御部は、前記ヘルプ画面が前記表示装置に表示されている状態での前記タッチセンサによる操作に応じて前記割当パラメータの設定値を制御する撮像装置。
【請求項７】
前記パラメータデータベースは、前記割当パラメータ毎にパラメータ名と、前記割当パラメータが割り当てられている前記操作部と、この操作部が示されている前記操作部配置図と、この操作部の前記操作部配置図上での位置を示す操作部位置と、をそれぞれ示す情報を対応付けて保持し、
前記画面生成部は、前記パラメータデータベースにより示された前記操作部配置図上の前記操作部位置により示された位置に、前記パラメータ名を表示させる請求項６に記載の撮像装置。
【請求項８】
前記画面生成部は、前記操作部配置図上の前記操作部に関連付けて前記操作部に割り当てが可能な割当可能パラメータを前記ヘルプ画面にさらに表示させる請求項６に記載の撮像装置。
【請求項９】
前記操作部が回転操作を受け付ける操作部である場合、前記画面生成部は、前記操作部の回転操作に応じてどのように割当パラメータが変更されるのかをさらに前記ヘルプ画面に示す請求項６に記載の撮像装置。
【請求項１０】
撮像の為の複数のパラメータが割当パラメータとしてそれぞれ割り当てられた複数の操作部と、
前記各操作部の操作に基づいて割当パラメータの設定値を制御するパラメータ制御部と、
前記複数の操作部の位置を示す操作部配置図上に、前記割当パラメータ毎に割り当てられている前記操作部を示すパラメータデータベースに基づいて前記各操作部に対応した割当パラメータを表示させてヘルプ画面を生成する画面生成部と、
外部機器と通信する通信部と、
を具備し、
前記画面生成部は、前記外部機器からの要求に基づいて前記ヘルプ画面を生成し、生成した前記ヘルプ画面を前記通信部を介して前記外部機器に送信する撮像装置。
【請求項１１】
前記パラメータデータベースは、前記割当パラメータ毎にパラメータ名と、前記割当パラメータが割り当てられている前記操作部と、この操作部が示されている前記操作部配置図と、この操作部の前記操作部配置図上での位置を示す操作部位置と、をそれぞれ示す情報を対応付けて保持し、
前記画面生成部は、前記パラメータデータベースにより示された前記操作部配置図上の前記操作部位置により示された位置に、前記パラメータ名を表示させる請求項１０に記載の撮像装置。
【請求項１２】
前記画面生成部は、前記操作部配置図上の前記操作部に関連付けて前記操作部に割り当てが可能な割当可能パラメータを前記ヘルプ画面にさらに表示させる請求項１０に記載の撮像装置。
【請求項１３】
撮像装置と、前記撮像装置と通信する携帯端末とを備える撮像システムであって、
前記撮像装置は、
前記携帯端末と通信する第１の通信部と、
撮像の為の複数のパラメータが割当パラメータとしてそれぞれ割り当てられた第１の複数の操作部と、
前記各操作部の操作に基づいて割当パラメータの設定値を制御するパラメータ制御部と、
を具備し、
前記携帯端末は、
前記撮像装置と通信する第２の通信部と、
操作入力を受け付ける第２の操作部と、
前記第２の通信部を介して前記撮像装置にヘルプ画面の要求を送信する制御部と、
を具備し、
前記撮像装置は、前記携帯端末からの前記要求に応じて、前記第１の複数の操作部の位置を示す操作部配置図上に、前記割当パラメータ毎に割り当てられている前記第１の操作部を示すパラメータデータベースに基づいて前記各第１の操作部に対応した割当パラメータを表示させてヘルプ画面を生成し、生成した前記ヘルプ画面を前記携帯端末に前記第１の通信部を介して送信する撮像システム。
【請求項１４】
撮像の為の複数のパラメータが割当パラメータとしてそれぞれ割り当てられた複数の操作部と、前記各操作部の操作に基づいて割当パラメータの設定値を制御するパラメータ制御部と、前記複数の操作部の位置を示す操作部配置図上に、前記割当パラメータ毎に割り当てられている前記操作部を示すパラメータデータベースに基づいて前記各操作部に対応した割当パラメータを表示させてヘルプ画面を生成する画面生成部と、を具備する撮像装置の制御方法であって、
前記操作部配置図の表示状態を変更するか否か判断し、異なる角度から描写された複数の前記操作部配置図が存在し、且つ前記表示状態を変更すると判断した場合、前記操作部配置図を回転させる撮像装置の制御方法。
【請求項１５】
撮像の為の複数のパラメータが割当パラメータとしてそれぞれ割り当てられた複数の操作部と、前記各操作部の操作に基づいて割当パラメータの設定値を制御するパラメータ制御部と、前記複数の操作部の位置を示す操作部配置図上に、前記割当パラメータ毎に割り当てられている前記操作部を示すパラメータデータベースに基づいて前記各操作部に対応した割当パラメータを表示させてヘルプ画面を生成する画面生成部と、前記ヘルプ画面を表示する表示装置と、前記表示装置に対するタッチ操作を検出するタッチセンサと、を具備する撮像装置の制御方法であって、
前記ヘルプ画面が前記表示装置に表示されている状態での前記タッチセンサによる操作に応じて前記割当パラメータの設定値を制御する撮像装置の制御方法。
【請求項１６】
撮像の為の複数のパラメータが割当パラメータとしてそれぞれ割り当てられた複数の操作部と、前記各操作部の操作に基づいて割当パラメータの設定値を制御するパラメータ制御部と、前記複数の操作部の位置を示す操作部配置図上に、前記割当パラメータ毎に割り当てられている前記操作部を示すパラメータデータベースに基づいて前記各操作部に対応した割当パラメータを表示させてヘルプ画面を生成する画面生成部と、外部機器と通信する通信部と、を具備する撮像装置の制御方法であって、
前記外部機器からの要求に基づいて前記ヘルプ画面を生成し、生成した前記ヘルプ画面を前記通信部を介して前記外部機器に送信する撮像装置の制御方法。
【手続補正２】
【補正対象書類名】明細書
【補正対象項目名】０００６
【補正方法】変更
【補正の内容】
【０００６】
一実施形態に係る撮像装置は、撮像の為の複数のパラメータが割当パラメータとしてそれぞれ割り当てられた複数の操作部と、前記各操作部の操作に基づいて割当パラメータの設定値を制御するパラメータ制御部と、前記複数の操作部の位置を示す操作部配置図上に、前記割当パラメータ毎に割り当てられている前記操作部を示すパラメータデータベースに基づいて前記各操作部に対応した割当パラメータを表示させてヘルプ画面を生成する画面生成部と、前記操作部配置図の表示状態を変更するか否か判断する表示変更判断部と、を具備し、前記画面生成部は、異なる角度から描写された複数の前記操作部配置図が存在し、且つ前記表示変更判断部によって前記表示状態を変更すると判断された場合、前記操作部配置図の角度を変更する。
【国際調査報告】
2016038913.tif 000022
2016038913.tif 000023
2016038913.tif 000024
2016038913.tif 000025